(57)【要約】  半導体記憶装置は、メモリセルを備え、上記メモリセルのリフレッシュ機能を有する半導体記憶装置において、第１のクロックを入力として、前記第１のクロックの逆相から第２のクロックを生成して出力するクロック発生回路を備え、前記第１のクロックと前記第２のクロックの少なくとも１つのクロックに同期して、前記リフレッシュ機能の動作を行う。
2009150844.tif 000002
【特許請求の範囲】
【請求項１】
メモリセルを備え、上記メモリセルのリフレッシュ機能を有する半導体記憶装置であって、
第１のクロックを入力として、前記第１のクロックの逆相から第２のクロックを生成して出力するクロック発生回路を備え、
前記第１のクロックと前記第２のクロックの少なくとも１つのクロックに同期して、前記リフレッシュ機能の動作を行うことを特徴とする半導体記憶装置。
【請求項２】
請求項１の半導体記憶装置であって、さらに、
リフレッシュ動作を前記第１のクロックのみに同期して行うか、前記第２のクロックのみに同期して行うか、前記第１のクロックおよび前記第２のクロックに同期して行うかの選択を制御信号により切換える選択回路を備えたことを特徴とする半導体記憶装置。
【請求項３】
請求項２の半導体記憶装置と、
論理回路と、
外部との間で信号を入出力する入出力回路、および前記入出力回路に接続される電極パッドを有するＩＯブロックとを備え、
ＩＯブロックを介して入力された外部信号が前記論理回路に入力されて、前記選択回路の切換えを制御する前記制御信号が生成されることを特徴とする半導体装置。
【請求項４】
請求項３の半導体装置であって、さらに、
前記ＩＯブロックを介して入力された外部信号によって制御される周波数のクロックを発生し、前記半導体記憶装置、および前記論理回路に入力するＰＬＬ回路を備えたことを特徴とする半導体装置。
【請求項５】
請求項３および請求項４のうち何れか１項の半導体装置であって、
前記第１のクロックのみに同期してリフレッシュ動作を行う前記半導体記憶装置と、
前記第２のクロックのみに同期してリフレッシュ動作を行う前記半導体記憶装置と、
前記第１のクロックおよび前記第２のクロックに同期してリフレッシュ動作を行う前記半導体記憶装置を任意の組み合わせで備えたことを特徴とする半導体装置。
【請求項６】
メモリセルのリフレッシュ機能および、第１のクロックを入力として、前記第１のクロックの逆相から第２のクロックを生成して出力するクロック発生器およびリフレッシュ動作を前記第１のクロックのみに同期して行うか、前記第２のクロックのみに同期して行うか、前記第１のクロックおよび前記第２のクロックに同期して行うかの選択を制御信号により切換える選択回路を備えた半導体記憶回路と、論理回路と、信号を入出力する入出力回路および前記入出力回路に接続される電極パッドを有するＩＯブロックと、発生するクロックの周波数が制御信号により変更可能なＰＬＬ回路とを備えた半導体装置と、
光ピックアップと、
前記光ピックアップが読み取ったデータ信号に基づいて複数の種類の情報記録媒体を判別出来る信号を出力する回路とを備えた光ディスク再生装置であって、
前記複数の種類の情報記録媒体を判別出来る信号を前記半導体装置のＩＯブロックへ外部信号として入力し、
前記外部信号が前記論理回路に入力されて、前記半導体記憶装置の選択回路へ入力される前記制御信号を生成して、前記半導体記憶装置のリフレッシュ動作を制御することを特徴とする光ディスク再生装置。
【請求項７】
メモリセルのリフレッシュ機能を備えた半導体記憶回路において、第１のクロックを入力として、前記第１のクロックの逆相から第２のクロックを生成して出力するクロック発生器およびリフレッシュ動作を前記第１のクロックのみに同期して行うか、前記第２のクロックのみに同期して行うか、前記第１のクロックおよび前記第２のクロックに同期して行うかの選択を制御信号により切換える選択回路を備えた半導体記憶回路と、論理回路と、信号を入出力する入出力回路および前記入出力回路に接続される電極パッドを有するＩＯブロックと、発生するクロックの周波数が制御信号により変更可能なＰＬＬ回路とを備えた半導体装置と、
光ピックアップと、
前記光ピックアップが読み取ったデータ信号に基づいて複数の種類の情報記録媒体を判別出来る信号を出力する回路とを備えた光ディスク再生装置であって、
前記複数の種類の情報記録媒体を判別出来る信号を前記半導体装置のＩＯブロックへ外部信号として入力し、
前記外部信号により前記半導体記憶装置および前記論理回路へ入力されるクロックの周波数を変更することを特徴とする光ディスク再生装置。
【請求項８】
請求項１の半導体記憶装置であって、
前記クロック発生回路は、１クロック周期あたり２つのパルスを含む前記第２のクロックを生成することを特徴とする半導体記憶装置。
【請求項９】
請求項８の半導体記憶装置であって、
前記クロック発生回路は、
前記第１のクロックを反転させて逆相信号を出力するＮＯＴ回路と、
前記第１のクロックと逆相信号とに基いて、前記第２のクロックを生成するＥＸＮＯＲ回路と、
を有することを特徴とする半導体記憶装置。
【請求項１０】
請求項８の半導体記憶装置であって、
前記クロック発生回路は、
前記第１、および第２のクロックの一方を選択するセレクタを備えたことを特徴とする半導体記憶装置。
【請求項１１】
請求項１０の半導体記憶装置であって、
前記セレクタは、当該半導体記憶装置の外部から入力される制御信号に応じて上記選択をすることを特徴とする半導体記憶装置。
【請求項１２】
請求項１０の半導体記憶装置であって、
前記セレクタは、リフレッシュ時に、第１、および第２のクロックの一方を固定的に選択するように構成されていることを特徴とする半導体記憶装置。
【請求項１３】
請求項８の半導体記憶装置であって、
前記クロック発生回路は、セレクタを備えるとともに、
前記クロック発生回路は、さらに、第１のクロックの遷移タイミングに対して、ずれたタイミングで遷移して前記リフレッシュを行わせる第３のクロックを生成するように構成され、
前記セレクタは、前記第１、第２、および第３のクロックのうちの何れかを選択することを特徴とする半導体記憶装置。
【請求項１４】
請求項１３の半導体記憶装置であって、
前記クロック発生回路は、
前記第１のクロックを反転させて逆相信号を出力するＮＯＴ回路と、
前記第１のクロックと逆相信号とに基いて、前記第３のクロックを生成するＮＯＲ回路と、
を有することを特徴とする半導体記憶装置。
【請求項１５】
請求項１３の半導体記憶装置であって、
前記セレクタは、前記第１、および第２のクロックのうちの一方を選択することを特徴とする半導体記憶装置。
【請求項１６】
請求項１３の半導体記憶装置であって、
前記メモリセルとクロック発生回路との第１の組と、第２の組とを有し、
前記第１の組のセレクタは、前記第１のクロックを固定的に選択する一方、
前記第２の組のセレクタは、リフレッシュ時に、前記第１、および第３のクロックのうちの一方を選択することを特徴とする半導体記憶装置。
【請求項１７】
請求項１６の半導体記憶装置であって、
前記第２の組のセレクタは、リフレッシュ時に、第３のクロックを固定的に選択するように構成されていることを特徴とする半導体記憶装置。
【請求項１８】
請求項１０の半導体記憶装置を備えた半導体装置であって、
前記セレクタは前記第１のクロックが第１の周波数の場合に、前記第１のクロックを選択する一方、前記第１の周波数よりも低い第２の周波数の場合に、前記第２のクロックを選択することを特徴とする半導体装置。
【請求項１９】
請求項１８の半導体装置を備えた光ディスク再生装置であって、
さらに、
記録媒体に記録された情報を読み出す光ピックアップと、
記録媒体から読み出された情報の処理のために前記半導体装置における半導体記憶装置に供給されるべきクロックの周波数を判別し、判別信号を出力する判別回路と、
を備え、
前記セレクタは、前記判別信号に応じて、前記第１または第２のクロックを選択することを特徴とする光ディスク再生装置。
【請求項２０】
請求項１９の光ディスク再生装置であって、
さらに、前記判別信号に応じた周波数の第１のクロックを生成するＰＬＬ回路を備えたことを特徴とする光ディスク再生装置。
【発明の詳細な説明】
【技術分野】
【０００１】
本発明は、半導体記憶装置のリフレッシュ機能に関し、例えば、搭載される半導体装置の動作周波数仕様が低い場合でもデータ転送レートの低下を防止するとともに、低消費電力化や電力平準化によるレイアウト設計容易化、ノイズ低減などに寄与する回路動作に関するものである。
【背景技術】
【０００２】
近年の半導体装置は、微細化技術の進歩による高集積化が、半導体メーカ間の競争も相俟ってますます加速している。なかでもマイクロプロセッサやＡＳＩＣ（Application Specific Integrated Circuit）、カスタムロジック回路などと、大容量のメモリとを１つの半導体チップ上に構成したシステムＬＳＩと呼ばれる半導体装置は、実装される製品の性能、差別化を決定付ける、高付加価値を訴求できるキーデバイスとして、各メーカが注力している製品分野の製品である。【０００３】
このような半導体装置を設計する上で、半導体装置に搭載される、ＤＲＡＭ（Dynamic Random Access Memory）、ＲＯＭ（Read Only Memory）、ＳＲＡＭ（Static Random Access Memory）などと分類されるメモリは、ハードウェアライブラリとして用いられ、様々な仕様が要求される。【０００４】
しかも、システムＬＳＩの用途は製品サイクルが短いＡＶ（Audio / Visual）機器を中心としており、それは、搭載されるハードウェアライブラリにおいても例外では無い。また、より具体的なシステムＬＳＩの用途別では民生用途から車載用途までをカバーし、分野別では、主なものでも光ディスク記録再生装置、ディジタルテレビ受像機、ディジタルカメラ、ディジタルオーディオ機器など幅広いジャンルに及んでいる。これら、多種多様なシステムＬＳＩ群に共通で適用出来る、半導体記憶装置を含むハードウェアライブラリを如何に効率的に開発出来るかが、各社の収益を左右する要因ともなっている。【０００５】
なお、上記の説明は、本発明の半導体記憶装置が適用される一例であって、用途や用い方の限定を意味するものではない。【０００６】
次に、従来のＤＲＡＭを含む半導体装置の基本回路構成を図１に示す。図１において、
１０１は、メモリセルをマトリックス状に配列したメモリセル領域、
１０２は、前記メモリセル領域１０１における行方向に並んだメモリセルからなるグループのうちの１つを選択するための選択信号を出力する行デコーダ回路、
１０３は、前記メモリセル領域１０１における列方向に並んだメモリセルからなるグループのうちの１つを選択するための選択信号を出力する列デコーダ回路、
１０４は、前記行デコーダ回路１０２および前記列デコーダ回路１０３により選択指示されたメモリセルに対してデータを読み書きするセンスリードライトアンプ回路、
１０５は、内部データ入出力線、
１０６は、外部データ入出力線、
１０７は、前記センスリードライトアンプ回路１０４との間で送受されるデータを外部データ入出力線１０６を介して大規模論理回路領域１２４との間で入出力するデータ入出力回路、
１０８は、行方向に並んだメモリセルからなるグループのうちの１つの選択を前記行デコーダ回路１０２に指定する行アドレス、
１０９は、列方向に並んだメモリセルからなるグループのうちの１つの選択を前記列デコーダ回路１０３に指定する列アドレス、
１１０は、アドレス制御信号、
１１１は、前記アドレス制御信号１１０に従い、前記行デコーダ回路１０２に前記行アドレス１０８を出力するとともに、前記列デコーダ回路１０３に前記列アドレス１０９を出力するアドレス入力回路、
１１２は、外部制御信号、
１１３は、前記アドレス制御信号１１０を前記外部制御信号１１２に従い出力する制御回路、
１１４は、内部アドレス制御信号、
１１５は、待機時に前記アドレス制御信号１１０と等価な内部アドレス制御信号１１４を発生して前記メモリセル領域１０１のリフレッシュ動作を行わせるリフレッシュ回路、
１１６は、タイミング調整信号、
１１７は、前記アドレス入力回路１１１と前記制御回路１１３と前記リフレッシュ回路１１５のタイミング調整を前記タイミング調整信号１１６を出力して行うタイミング発生回路、
１１８は、内部同期クロック信号、
１１９は、前記データ入出力回路１０７と前記アドレス入力回路１１１と前記制御回路１１３と前記リフレッシュ回路１１５と前記タイミング発生回路１１７の同期を前記内部同期クロック信号１１８を出力して取るクロック発生回路、
１２０は、外部クロック信号、
１２１は、メモリセル領域１０１、行デコーダ回路１０２、列デコーダ回路１０３、センスリードライトアンプ回路１０４、およびデータ入出力回路１０７から構成されるメモリアレイ領域、
１２２は、アドレス入力回路１１１、制御回路１１３、リフレッシュ回路１１５、タイミング発生回路１１７、およびクロック発生回路１１９から構成される制御領域、
１２３は、前記メモリアレイ領域１２１、および前記制御領域１２２から構成される半導体記憶装置、
１２４は、スタンダードセルを用いて構成される大規模論理回路領域、
１２５は、冗長救済アドレス記憶回路、
１２６は、前記冗長救済アドレス記憶回路１２５を前記メモリアレイ領域１２１に接続する冗長救済アドレス線、
１２７は、前記半導体記憶装置１２３や大規模論理回路領域１２４に接続される外部端子群、
１２８は、前記半導体記憶装置１２３、前記大規模論理回路領域１２４、前記冗長救済アドレス記憶回路１２５、および前記外部端子群１２７から構成される半導体装置である。【０００７】
ここで、上記クロック発生回路１１９は、制御回路１１３等を駆動する能力等の必要に応じて設けられるもので、具体的には例えばバッファ回路から成り、入力された外部クロック信号１２０と同じ論理レベルの内部同期クロック信号１１８を出力するものである。【０００８】
図１に従い、簡単に動作の概要を説明する。【０００９】
前記外部端子群１２７から入力される前記外部クロック信号１２０により前記クロック発生回路１１９が前記内部同期クロック信号１１８を出力し、前記データ入出力回路１０７、前記アドレス入力回路１１１、前記制御回路１１３、前記リフレッシュ回路１１５、前記タイミング発生回路１１７間の同期を取るクロックとして供給する。前記内部同期クロック信号１１８のもとで、前記外部制御信号１１２に従い、前記制御回路１１３は前記アドレス制御信号１１０を発生し、前記アドレス入力回路１１１に入力する。【００１０】
前記アドレス入力回路１１１は前記行アドレス１０８を発生し前記行デコーダ回路１０２に入力し、前記列アドレス１０９を発生し前記列デコーダ回路１０３へ入力する。前記行デコーダ回路１０２と前記列デコーダ回路１０３に入力された値に応じて、前記メモリセル領域１０１内のメモリセルが選択され、前記センスリードライトアンプ回路１０４との間での読み書き動作が行われ、前記内部データ入出力線１０５、前記データ入出力回路１０７、前記外部データ入出力線１０６を介して、前記大規模論理回路領域１２４との間でデータの入出力動作が行われる。【００１１】
前記リフレッシュ回路１１５による動作は、基本的に上記と同様であり、内部アドレス制御信号１１４がアドレス入力回路１１１に入力されることによって、前記アドレス制御信号１１０がアドレス入力回路１１１に入力される場合と同じような動作が行われる。異なるのは、前記センスリードライトアンプ回路１０４に読み出されたデータが前記メモリセルに書き込まれるだけで、前記内部データ入出力線１０５、前記データ入出力回路１０７、前記外部データ入出力線１０６を介した前記大規模論理回路領域１２４との間でのデータの入出力動作が行われない点である。【００１２】
前記冗長救済アドレス記憶回路１２５、冗長救済アドレス線１２６による動作の説明は割愛する。【００１３】
以上説明したような動作をする半導体記憶装置では、メモリアレイ領域１２１と大規模論理回路領域１２４とが１つの半導体集積回路上に設けられていることによって、前記外部データ入出力線１０６を多ビットバスにする事が比較的容易であり、したがって、データ転送レートを確保しつつ、クロック信号の周波数を低くして、低消費電力化を図りやすい。
【先行技術文献】
【特許文献】
【００１４】
【特許文献１】特開平８−１３８３７４号公報
【発明の概要】
【発明が解決しようとする課題】
【００１５】
しかしながら、上記のようなメモリアレイ領域１２１のリフレッシュ動作は、所定の周期ごとに所定回数の頻度で行われる必要がある。このリフレッシュ頻度は、クロック信号の周波数に係わらず一定なので、クロック信号の周波数が低いほど、データの転送等、リフレッシュ以外の動作が行われる帯域（例えば用いられるクロックパルスの割合）が低下する。【００１６】
具体的には、例えば図２に示すように、ある周波数の外部クロック信号１２０に対して２０クロックパルスあたり２つのクロックパルスによって２回のリフレッシュ動作が必要だとすると、残りの１８クロックパルス、すなわち９０％の帯域でコマンド処理等の動作を行えることになる。これに対して、図３に示すように、例えば外部クロック信号１２０の周波数を１／４に低下させると、コマンド処理等に用いることのできるクロックパルスは、５クロックパルスあたり３クロックパルスになるので、帯域は６０％に低下することになる。【００１７】
このため、クロック信号の周波数を大幅に低下させて消費電力を低減することが困難であった。特に、例えば、映像信号処理を行う半導体装置に比べて音声信号処理を行う半導体装置のように処理する信号のデータ量が桁違いに少ない場合でも、クロック信号の周波数を大幅に低下させることが困難である。上記のような課題は、例えば、音声信号処理を行う携帯機器などのように、処理するデータ量が少なく、かつ低消費電力に対する要求が特に強い機器に搭載される半導体装置などの場合には、より顕著なものとなる。【００１８】
本発明は、かかる点に鑑みてなされたものであり、メモリのリフレッシュを適切に行い、かつ、データ転送レートの確保等を図りつつ、クロック信号の周波数を容易に低下できるようにすることなどを目的とする。
【課題を解決するための手段】
【００１９】
上記の課題を解決するため、
第１の発明の例は、
メモリセルを備え、上記メモリセルのリフレッシュ機能を有する半導体記憶装置であって、
第１のクロックを入力として、前記第１のクロックの逆相から第２のクロックを生成して出力するクロック発生回路を備え、
前記第１のクロックと前記第２のクロックの少なくとも１つのクロックに同期して、前記リフレッシュ機能の動作を行うことを特徴とする。【００２０】
これにより、低速周波数仕様の場合に、データ転送レートの低下を改善し、半導体記憶装置を搭載する半導体装置において、低消費電力化を維持したまま、性能を向上させる効果が得られる。【００２１】
第２の発明の例は、
第１の発明の例の半導体記憶装置であって、さらに、
リフレッシュ動作を前記第１のクロックのみに同期して行うか、前記第２のクロックのみに同期して行うか、前記第１のクロックおよび前記第２のクロックに同期して行うかの選択を制御信号により切換える選択回路を備えたことを特徴とする。【００２２】
これにより、低速周波数仕様の場合に、データ転送レートの低下を改善し、低消費電力化を維持したまま、性能を向上させる効果が簡便な回路追加で実現出来る効果が得られる。【００２３】
第３の発明の例は、半導体装置であって、
第２の発明の例の半導体記憶装置と、
論理回路と、
外部との間で信号を入出力する入出力回路、および前記入出力回路に接続される電極パッドを有するＩＯブロックとを備え、
ＩＯブロックを介して入力された外部信号が前記論理回路に入力されて、前記選択回路の切換えを制御する前記制御信号が生成されることを特徴とする。【００２４】
これにより、簡単に制御出来る効果が得られる。【００２５】
第４の発明の例は、
第３の発明の例の半導体装置であって、さらに、
前記ＩＯブロックを介して入力された外部信号によって制御される周波数のクロックを発生し、前記半導体記憶装置、および前記論理回路に入力するＰＬＬ回路を備えたことを特徴とする。【００２６】
これにより、前記半導体記憶装置や前記論理回路へ入力されるクロックの周波数を簡単に変更する事が出来る効果が得られる。【００２７】
第５の発明の例は、
第３および第４のうち何れか１つの発明の例の半導体装置であって、
前記第１のクロックのみに同期してリフレッシュ動作を行う前記半導体記憶装置と、
前記第２のクロックのみに同期してリフレッシュ動作を行う前記半導体記憶装置と、
前記第１のクロックおよび前記第２のクロックに同期してリフレッシュ動作を行う前記半導体記憶装置を任意の組み合わせで備えたことを特徴とする。【００２８】
これにより、リフレッシュ動作による消費電流が時間軸で分散出来るので、半導体装置としても消費電力の平準化を実現出来る効果が得られる。【００２９】
第６の発明の例は、光ディスク再生装置であって、
メモリセルのリフレッシュ機能および、第１のクロックを入力として、前記第１のクロックの逆相から第２のクロックを生成して出力するクロック発生器およびリフレッシュ動作を前記第１のクロックのみに同期して行うか、前記第２のクロックのみに同期して行うか、前記第１のクロックおよび前記第２のクロックに同期して行うかの選択を制御信号により切換える選択回路を備えた半導体記憶回路と、論理回路と、信号を入出力する入出力回路および前記入出力回路に接続される電極パッドを有するＩＯブロックと、発生するクロックの周波数が制御信号により変更可能なＰＬＬ回路とを備えた半導体装置と、
光ピックアップと、
前記光ピックアップが読み取ったデータ信号に基づいて複数の種類の情報記録媒体を判別出来る信号を出力する回路とを備えた光ディスク再生装置であって、
前記複数の種類の情報記録媒体を判別出来る信号を前記半導体装置のＩＯブロックへ外部信号として入力し、
前記外部信号が前記論理回路に入力されて、前記半導体記憶装置の選択回路へ入力される前記制御信号を生成して、前記半導体記憶装置のリフレッシュ動作を制御することを特徴とする。【００３０】
これにより、動作状況に応じて、消費電流の平準化や低減を実現する事が出来る効果が得られる。【００３１】
第７の発明の例は、光ディスク再生装置であって、
メモリセルのリフレッシュ機能を備えた半導体記憶回路において、第１のクロックを入力として、前記第１のクロックの逆相から第２のクロックを生成して出力するクロック発生器およびリフレッシュ動作を前記第１のクロックのみに同期して行うか、前記第２のクロックのみに同期して行うか、前記第１のクロックおよび前記第２のクロックに同期して行うかの選択を制御信号により切換える選択回路を備えた半導体記憶回路と、論理回路と、信号を入出力する入出力回路および前記入出力回路に接続される電極パッドを有するＩＯブロックと、発生するクロックの周波数が制御信号により変更可能なＰＬＬ回路とを備えた半導体装置と、
光ピックアップと、
前記光ピックアップが読み取ったデータ信号に基づいて複数の種類の情報記録媒体を判別出来る信号を出力する回路とを備えた光ディスク再生装置であって、
前記複数の種類の情報記録媒体を判別出来る信号を前記半導体装置のＩＯブロックへ外部信号として入力し、
前記外部信号により前記半導体記憶装置および前記論理回路へ入力されるクロックの周波数を変更することを特徴とする。【００３２】
これにより、動作状況に応じて、消費電流の平準化や低減を実現する事が出来る効果が得られる。【００３３】
第８の発明の例は、
第１の発明の例の半導体記憶装置であって、
前記クロック発生回路は、１クロック周期あたり２つのパルスを含む前記第２のクロックを生成することを特徴とする。【００３４】
第９の発明の例は、
第８の発明の例の半導体記憶装置であって、
前記クロック発生回路は、
前記第１のクロックを反転させて逆相信号を出力するＮＯＴ回路と、
前記第１のクロックと逆相信号とに基いて、前記第２のクロックを生成するＥＸＮＯＲ回路と、
を有することを特徴とする。【００３５】
第１０の発明の例は、
第８の発明の例の半導体記憶装置であって、
前記クロック発生回路は、
前記第１、および第２のクロックの一方を選択するセレクタを備えたことを特徴とする。【００３６】
これらにより、クロック信号の効率を高くすることなどができる。【００３７】
第１１の発明の例は、
第１０の発明の例の半導体記憶装置であって、
前記セレクタは、当該半導体記憶装置の外部から入力される制御信号に応じて上記選択をすることを特徴とする。【００３８】
これにより、クロック信号の効率を高くするかどうかを容易に制御できる。【００３９】
第１２の発明の例は、
第１０の発明の例の半導体記憶装置であって、
前記セレクタは、リフレッシュ時に、第１、および第２のクロックの一方を固定的に選択するように構成されていることを特徴とする。【００４０】
これにより、上記のような回路を用いてバッファなどとして機能させたり、クロック信号の効率を高くしたりすることなどができる。【００４１】
第１３の発明の例は、
第８の発明の例の半導体記憶装置であって、
前記クロック発生回路は、セレクタを備えるとともに、
前記クロック発生回路は、さらに、第１のクロックの遷移タイミングに対して、ずれたタイミングで遷移して前記リフレッシュを行わせる第３のクロックを生成するように構成され、
前記セレクタは、前記第１、第２、および第３のクロックのうちの何れかを選択することを特徴とする。【００４２】
第１４の発明の例は、
第１３の発明の例の半導体記憶装置であって、
前記クロック発生回路は、
前記第１のクロックを反転させて逆相信号を出力するＮＯＴ回路と、
前記第１のクロックと逆相信号とに基いて、前記第３のクロックを生成するＮＯＲ回路と、
を有することを特徴とする。【００４３】
これらにより、クロック信号の効率を高くしたり、リフレッシュ時に電流を分散させたりすることなどができる。【００４４】
第１５の発明の例は、
第１３の発明の例の半導体記憶装置であって、
前記セレクタは、前記第１、および第２のクロックのうちの一方を選択することを特徴とする。【００４５】
これにより、第３のクロックを生成可能な装置を用いて、第１１の発明の例の装置と同じような動作をさせることなどができる。【００４６】
第１６の発明の例は、
第１３の発明の例の半導体記憶装置であって、
前記メモリセルとクロック発生回路との第１の組と、第２の組とを有し、
前記第１の組のセレクタは、前記第１のクロックを固定的に選択する一方、
前記第２の組のセレクタは、リフレッシュ時に、前記第１、および第３のクロックのうちの一方を選択することを特徴とする。【００４７】
第１７の発明の例は、
第１６の発明の例の半導体記憶装置であって、
前記第２の組のセレクタは、リフレッシュ時に、第３のクロックを固定的に選択するように構成されていることを特徴とする。【００４８】
これらにより、リフレッシュ時に電流を分散させたりすることなどができる。【００４９】
第１８の発明の例は、
第１０の発明の例の半導体記憶装置を備えた半導体装置であって、
前記セレクタは前記第１のクロックが第１の周波数の場合に、前記第１のクロックを選択する一方、前記第１の周波数よりも低い第２の周波数の場合に、前記第２のクロックを選択することを特徴とする。【００５０】
第１９の発明の例は、
第１８の発明の例の半導体装置を備えた光ディスク再生装置であって、
さらに、
記録媒体に記録された情報を読み出す光ピックアップと、
記録媒体から読み出された情報の処理のために前記半導体装置における半導体記憶装置に供給されるべきクロックの周波数を判別し、判別信号を出力する判別回路と、
を備え、
前記セレクタは、前記判別信号に応じて、前記第１または第２のクロックを選択することを特徴とする。【００５１】
第２０の発明の例は、
第１９の発明の例の光ディスク再生装置であって、
さらに、前記判別信号に応じた周波数の第１のクロックを生成するＰＬＬ回路を備えたことを特徴とする。【００５２】
これらにより、第１のクロックの周波数が低い場合にクロック信号の効率を高くすることなどができる。
【発明の効果】
【００５３】
本発明によれば、低速周波数仕様の場合に、データ転送レートの低下を改善し、半導体記憶装置を搭載する半導体装置において、低消費電力化を維持したまま、性能を向上させるなどの効果が得られる。
【図面の簡単な説明】
【００５４】
【図１】図１は、従来の半導体記憶装置１２３を含む半導体装置１２８の構成を示すブロック図である。
【図２】図２は、上記従来の半導体記憶装置１２３の要部の信号の例を示すタイミングチャートである。
【図３】図３は、上記従来の半導体記憶装置１２３の要部の信号の他の例を示すタイミングチャートである。
【図４】図４は、本発明の実施形態１の半導体装置６２８の構成を示すブロック図である。
【図５】図５は、上記半導体装置６２８の半導体記憶装置６２３に設けられるクロック発生回路６１９の構成を示す回路図である。
【図６】図６は、クロック信号の周波数が高い場合の上記クロック発生回路６１９の各部の信号の例を示すタイミングチャートである。
【図７】図７は、クロック信号の周波数が低い場合の上記クロック発生回路６１９の各部の信号の例を示すタイミングチャートである。
【図８】図８は、上記半導体装置６２８を用いた光ディスク再生装置の構成を示すブロック図である。
【図９】図９は、本発明の実施形態２の半導体装置６２８の構成を示すブロック図である。
【図１０】図１０は、上記半導体装置６２８の半導体記憶装置６２３，６２３’に設けられるクロック発生回路８１９の構成を示す回路図である。
【図１１】図１１は、クロック信号の周波数が高い場合の上記クロック発生回路８１９の各部の信号の例を示すタイミングチャートである。
【図１２】図１２は、クロック信号の周波数が低い場合の上記クロック発生回路８１９の各部の信号の例を示すタイミングチャートである。
【発明を実施するための形態】
【００５５】
以下、本発明の実施形態を図面に基づいて詳細に説明する。なお、以下の各実施形態において、他の実施形態と同様の機能を有する構成要素については適宜同一の符号を付して説明を省略する。
【００５６】
《発明の実施形態１》
本発明の第１の実施形態として、図４〜図８に基づき、半導体記憶装置６２３を備えた半導体装置６２８、およびその半導体装置６２８用いた光ディスク再生装置について説明する。この例では、半導体記憶装置６２３としてＤＲＡＭ（Dynamic Random Access Memory）が用いられている。
【００５７】
（半導体装置６２８の構成）
まず、半導体装置６２８の構成について説明する。図４は、半導体装置６２８の構成を示すブロック図である。この半導体装置６２８は、半導体記憶装置６２３を備えるとともに、大規模論理回路領域６２４、冗長救済アドレス記憶回路６２５、および外部端子群６２７を備えて構成されている。
【００５８】
（半導体装置６２８における半導体記憶装置６２３の構成）
上記半導体記憶装置６２３は、メモリアレイ領域６２１と、制御領域６２２とを有している。
【００５９】
上記メモリアレイ領域６２１において、
６０１は、メモリセルをマトリックス状に配列したメモリセル領域、
６０２は、前記メモリセル領域６０１における行方向に並んだメモリセルからなるグループのうちの１つを選択するための選択信号を出力する行デコーダ回路、
６０３は、前記メモリセル領域６０１における列方向に並んだメモリセルからなるグループのうちの１つを選択するための選択信号を出力する列デコーダ回路、
６０４は、前記行デコーダ回路６０２および前記列デコーダ回路６０３により選択指示されたメモリセルに対してデータを読み書きするセンスリードライトアンプ回路、
６０５は、内部データ入出力線、
６０６は、外部データ入出力線、
６０７は、前記センスリードライトアンプ回路６０４との間で送受されるデータを外部データ入出力線６０６を介して大規模論理回路領域６２４との間で入出力するデータ入出力回路、
である。
【００６０】
また、上記制御領域６２２において、
６０８は、行方向に並んだメモリセルからなるグループのうちの１つの選択を前記行デコーダ回路６０２に指定する行アドレス、
６０９は、列方向に並んだメモリセルからなるグループのうちの１つの選択を前記列デコーダ回路６０３に指定する列アドレス、
６１０は、半導体記憶装置６２３の外部等からの指示に従って、データを読み書きするメモリセルを示すアドレス制御信号、
６１１は、前記アドレス制御信号６１０（または後述する内部アドレス制御信号６１４）に従い、前記行デコーダ回路６０２に前記行アドレス６０８を出力するとともに、前記列デコーダ回路６０３に前記列アドレス６０９を出力するアドレス入力回路、
６１２は、データの読み書き等の指示を示す外部制御信号、
６１３は、前記アドレス制御信号６１０を前記外部制御信号６１２に従い出力する制御回路、
６１４は、リフレッシュされるメモリセルを示す、前記アドレス制御信号６１０と等価な内部アドレス制御信号、
６１５は、前記メモリセル領域６０１にリフレッシュ動作を行わせるために、前記内部アドレス制御信号６１４を発生するリフレッシュ回路、
６１６は、タイミング調整信号、
６１７は、タイミング発生回路、
６１９は、クロック発生回路、
４１０は、クロック出力信号、
４０１は、クロック入力信号、
４０２は、リフレッシュ制御信号、
４０３は、低速動作制御信号、
である。
【００６１】
上記タイミング発生回路６１７は、アドレス入力回路６１１、制御回路６１３、およびリフレッシュ回路６１５のリフレッシュ動作等の動作タイミングを調整するために、タイミング調整信号６１６を出力するものである。具体的には、例えば、リフレッシュ制御信号４０２が“Ｈ”（Ｈｉｇｈレベル）の状態で、クロック発生回路６１９から出力されるクロック出力信号４１０が“Ｌ”（Ｌｏｗレベル）から“Ｈ”に立ち上がった場合に、リフレッシュ動作を指示するタイミング調整信号６１６を各部に出力するようになっている。
【００６２】
上記クロック発生回路６１９は、半導体記憶装置６２３内の各部、具体的には、データ入出力回路６０７、アドレス入力回路６１１、制御回路６１３、リフレッシュ回路６１５、およびタイミング発生回路６１７などの同期を取るためのクロック出力信号４１０を出力するようになっている。
【００６３】
（クロック発生回路６１９具体的な構成）
上記クロック発生回路６１９は、具体的には、例えば図５に示すように構成されている。
【００６４】
図５において、４０１はクロック入力信号（外部クロック信号）、４０２はリフレッシュ動作を指示するリフレッシュ制御信号、４０３は低速動作制御信号、４０４は反転回路（ＮＯＴ回路）、４０５は反転排他的論理和回路（ＥＸＮＯＲ回路）、４０６は論理積回路（ＡＮＤ回路）、４０７は信号選択回路、４０８は前記信号選択回路４０７の切換え信号、４０９は内部クロック信号、４１０はクロック出力信号（内部同期クロック信号）である。
【００６５】
上記クロック発生回路６１９から出力されるクロック出力信号４１０は、半導体装置６２８の外部、または大規模論理回路領域６２４等から入力されるクロック入力信号４０１、リフレッシュ制御信号４０２、および低速動作制御信号４０３に基づいて生成される。
【００６６】
上記クロック入力信号４０１としては、半導体装置６２８の処理内容等に応じて、例えば、図６、図７に示すように、所定の高い周波数（図６）、またはその１／４の低い周波数（図７）の信号が選択的に入力される。
【００６７】
上記低速動作制御信号４０３は、上記クロック入力信号４０１が高い周波数か低い周波数かを示す信号で、例えば高い周波数の信号が入力される場合に“Ｌ”に維持される一方、低い周波数の信号が入力される場合に“Ｈ”に維持されるようになっている。
【００６８】
また、上記リフレッシュ制御信号４０２は、タイミング発生回路６１７に入力されるのと同じ信号である。このリフレッシュ制御信号４０２は、例えば上記クロック入力信号４０１が上記高い周波数の場合には、その高い周波数における２０周期分の期間Ｔあたりに２回、それぞれ１周期の期間だけ“Ｈ”になるようになっている。また、クロック出力信号４１０が上記低い周波数の場合には、上記期間Ｔあたりに、すなわち低い周波数における５周期あたりに１回、１周期の期間だけ“Ｈ”になるようになっている。
【００６９】
上記クロック発生回路６１９に入力されるクロック入力信号４０１の周波数が高い場合には（図６）、低速動作制御信号４０３が“Ｌ”に維持されることによって、信号選択回路４０７の選択により、クロック入力信号４０１がそのままクロック出力信号４１０として出力される。この場合、リフレッシュ制御信号４０２は、前記のように期間Ｔ内に２回“Ｈ”になるが、上記クロック出力信号４１０には影響しない。
【００７０】
ここで、本実施形態の半導体記憶装置６２３において、例えば上記高い周波数のクロック入力信号４０１における２０周期分の期間Ｔあたりに、任意間隔で２回のリフレッシュ動作が必要であるとすると、タイミング発生回路６１７に、上記のような期間Ｔ内に２回“Ｈ”になるリフレッシュ制御信号４０２が入力されることによって、適切なリフレッシュ動作が行われる。また、リフレッシュ制御信号４０２が“Ｌ”になる１８周期分の期間には、外部制御信号６１２によって示されるコマンド処理等が行われる。
【００７１】
一方、クロック発生回路６１９に入力されるクロック入力信号４０１の周波数が低い場合には（図７）、低速動作制御信号４０３が“Ｈ”に維持されることによって、リフレッシュ制御信号４０２がクロック入力信号４０１における１周期の期間だけ“Ｈ”になると、その期間は、信号選択回路４０７の選択によって内部クロック信号４０９が選択される。すなわち、クロック入力信号４０１の立ち上がり、および立ち下がりタイミングで、それぞれ反転回路４０４の遅延時間だけ“Ｈ”になる２つのパルスが、クロック出力信号４１０として出力される。このクロック出力信号４１０がタイミング発生回路６１７に入力されることによって、上記クロック入力信号４０１の周波数が高い場合と同様、期間Ｔあたりに２回のリフレッシュ動作が適切に行われる。また、リフレッシュ制御信号４０２が“Ｌ”でリフレッシュ動作が行われない期間、すなわち、クロック入力信号４０１における５周期あたり４周期の期間は、クロック入力信号４０１がそのままクロック出力信号４１０として出力され、外部制御信号６１２によって示されるコマンド処理等が行われる。
【００７２】
（半導体装置６２８におけるその他の部分について）
半導体装置６２８における大規模論理回路領域６２４は、例えばスタンダードセルを用いて構成され、ＩＯ（Input / Output）機能や、システムＬＳＩとしての主な機能を果たす回路などが形成されたものである。
【００７３】
冗長救済アドレス記憶回路６２５は、冗長救済するメモリセルを示すアドレスを記憶するものである。
【００７４】
冗長救済アドレス線６２６は、前記冗長救済アドレス記憶回路６２５を前記メモリアレイ領域６２１に接続するものである。
【００７５】
外部端子群６２７は、前記半導体記憶装置６２３や大規模論理回路領域６２４等と半導体装置６２８の外部との間で入出力される信号を中継するものである。
【００７６】
（半導体装置６２８の動作）
リフレッシュ制御信号４０２が“Ｌ”であって通常の動作が行われる場合には、前記クロック発生回路６１９が、前記外部端子群６２７等から入力される前記クロック入力信号４０１に基づいて前記クロック出力信号４１０を発生し、前記データ入出力回路６０７、前記アドレス入力回路６１１、前記制御回路６１３、前記リフレッシュ回路６１５、および前記タイミング発生回路６１７間の同期を取るクロックとして供給する。前記制御回路６１３は、前記クロック出力信号４１０に同期して、前記外部制御信号６１２に従い、前記アドレス制御信号６１０を発生して、前記アドレス入力回路６１１に入力する。
【００７７】
前記アドレス入力回路６１１は前記行アドレス６０８を発生して前記行デコーダ回路６０２に入力するとともに、前記列アドレス６０９を発生して前記列デコーダ回路６０３へ入力する。前記行デコーダ回路６０２と前記列デコーダ回路６０３とに入力された値に応じて、前記メモリセル領域６０１内のメモリセルが選択され、前記センスリードライトアンプ回路６０４との間での読み書き動作が行われて、前記内部データ入出力線６０５、前記データ入出力回路６０７、および前記外部データ入出力線６０６を介して、前記センスリードライトアンプ回路６０４と前記大規模論理回路領域６２４との間でのデータの入出力動作が行われる。
【００７８】
また、リフレッシュ制御信号４０２が“Ｈ”となるリフレッシュ時には、クロック出力信号４１０が“Ｈ”に立ち上がると、タイミング発生回路６１７がリフレッシュ動作を指示するタイミング調整信号６１６を出力する。そこで、例えば、リフレッシュ回路６１５が内部カウンタ（不図示）のカウント値をカウントアップし、そのカウント値を内部アドレス制御信号１１４として出力することにより、制御回路１１３がアドレス制御信号１１０を出力した場合と同様の所定のアドレス領域に対してリフレッシュ動作が行われる。リフレッシュ動作自体は、実際にデータの読み書きがなされる場合と基本的に同様である。異なるのは、前記センスリードライトアンプ回路６０４に読み出されたデータが前記メモリセルに書き込まれるだけで、前記内部データ入出力線６０５、前記データ入出力回路６０７、および前記外部データ入出力線６０６を介した前記大規模論理回路領域６２４との間のデータの入出力動作が行われない点である。
【００７９】
ここで、上記リフレッシュ動作においては、クロック入力信号４０１の周波数が低い場合には、リフレッシュ制御信号４０２がクロック入力信号４０１における１周期の期間、“Ｈ”になるだけで、クロック発生回路６１９からクロック出力信号４１０として期間Ｔあたり２回のリフレッシュ動作が行われる。それゆえ、上記期間Ｔ内に、５クロックパルスのうちの４クロックパルスをデータの転送や読み書きなどのコマンド処理に用いることができるので、半導体装置６２８の処理能力を確保することが容易にできる。または、クロック入力信号４０１の周波数をより低く設定して消費電力の低下を図ることなども容易にできる。
【００８０】
（上記半導体装置６２８用いた光ディスク再生装置の構成）
図８は、上記半導体記憶装置６２３を含む半導体装置６２８を用いた光ディスク再生装置のシステム構成を示すブロック図である。
【００８１】
図８において、７０１は情報記録媒体であり、例えばＤＶＤ（Digital Video Disc、Digital Versatile Disc）とＣＤ（Compact Disc）のように、データ量やデータ構造などが異なるためにデータ処理に必要なクロック信号の周波数が異なる複数種類の情報記録媒体７０１が装填可能になっている。７０２は情報記録媒体７０１に記録された情報を読み取る光ピックアップ、７０３は光ピックアップ７０２が読み取ったデータに応じたデータ信号、７０４はデータ信号７０３の内容から情報記録媒体７０１の種類を判別する光ディスク判別回路、７０５はデータ信号７０３と情報記録媒体７０１の種類を判別した信号を含むデータ信号、７０６はデータ信号７０５を信号処理する回路、７０７はＰＬＬ（Phase Locked Loop）回路、７０９は論理回路７０６がＰＬＬ回路７０７を制御するための信号、７１０はＰＬＬ回路７０７が論理回路７０６に出力するクロック出力信号、７１３は半導体記憶装置６２３と論理回路７０６とがデータをやり取りする為のデータバスである。
【００８２】
半導体装置６２８は、上記論理回路７０６、ＰＬＬ回路７０７、および半導体記憶装置６２３が設けられて構成される。上記論理回路７０６、およびＰＬＬ回路７０７は、例えば、図４に示した大規模論理回路領域６２４などに形成されている。
【００８３】
クロック入力信号４０１は、ＰＬＬ回路７０７から出力されて、半導体記憶装置６２３に入力されるようになっている。
【００８４】
また、リフレッシュ制御信号４０２、および低速動作制御信号４０３は、他の制御信号とともに論理回路７０６から出力されて、半導体記憶装置６２３に入力されるようになっている。
【００８５】
（光ディスク再生装置の動作）
以下、上記のように構成された光ディスク再生装置の動作を説明する。
【００８６】
まず、情報記録媒体７０１が“データ処理量が少ない媒体”である場合の動作について説明する。光ディスク判別回路７０４は、光ピックアップ７０２が情報記録媒体７０１から読み取ったデータ信号７０３から、情報記録媒体７０１が“データ処理量が少ない媒体”である事を判別し、これを示すためにデータ信号７０５を例えば“Ｈ”にする。
【００８７】
上記“Ｈ”にされたデータ信号７０５は、論理回路７０６に入力される。論理回路７０６は、“データ処理量が少ない媒体”に対応して、“低速で信号処理出来るモード”になり、ＰＬＬ回路７０７に周波数を低くすることを指示する制御信号７０９を出力する。これに応じて、ＰＬＬ回路７０７は、論理回路７０６に出力するクロック出力信号７１０と、半導体記憶装置６２３に出力するクロック入力信号４０１とを所定の低い周波数にする。
【００８８】
論理回路７０６は、さらに、半導体記憶装置６２３に入力されるクロック入力信号４０１が低い周波数であることを示すように低速動作制御信号４０３を“Ｈ”にする。論理回路７０６は、また、半導体記憶装置６２３にリフレッシュ動作を指示するリフレッシュ制御信号４０２をクロック入力信号４０１における例えば５周期分の期間Ｔごとに１周期の期間だけ“Ｈ”にして、半導体記憶装置６２３を制御する。そこで、半導体記憶装置６２３におけるクロック発生回路６１９（図５）からは、上記期間Ｔごとに、クロック出力信号４１０として、リフレッシュ制御信号４０２が“Ｈ”になる１周期分の期間に２つのパルスが出力されるとともに、リフレッシュ制御信号４０２が“Ｌ”になる４周期分の期間にはクロック入力信号４０１がそのまま出力される。これにより、２回のリフレッシュ動作と、４回のコマンド処理等とが行われる。
【００８９】
すなわち、見かけ上のリフレッシュ動作に必要なクロックの回数を半分に減らす事が可能となり、その分、データバス７１３による半導体記憶装置６２３と論理回路７０６との間でデータをやり取りする信号処理等にクロックパルスを使用する事が可能になる。それゆえ、データ転送レートを向上させたり、データ転送レートの低下を少なく抑えたり、または消費電力を低減したりすることが容易にできるシステムを実現する事が可能となる。
【００９０】
次に、情報記録媒体７０１が“データ処理量が多い媒体”である場合の動作について説明する。光ディスク判別回路７０４は、光ピックアップ７０２が情報記録媒体７０１から読み取ったデータ信号７０３から、情報記録媒体７０１が“データ処理量が多い媒体”である事を判別し、これを示すためにデータ信号７０５を例えば“Ｌ”にする。
【００９１】
上記“Ｌ”にされたデータ信号７０５は、論理回路７０６に入力される。論理回路７０６は、“データ処理量が多い媒体”に対応して、“高速で信号処理するモード”になり、ＰＬＬ回路７０７に周波数を高くすることを指示する制御信号７０９を出力する。これに応じて、ＰＬＬ回路７０７は、論理回路７０６に出力するクロック出力信号７１０と、半導体記憶装置６２３に出力するクロック入力信号４０１とを所定の高い周波数にする。
【００９２】
この場合、論理回路７０６は、さらに、半導体記憶装置６２３に入力されるクロック入力信号４０１が高い周波数であることを示すように低速動作制御信号４０３を“Ｌ”にする。論理回路７０６は、また、半導体記憶装置６２３にリフレッシュ動作を指示するリフレッシュ制御信号４０２をクロック入力信号４０１における例えば２０周期ごとに合計２周期の期間“Ｈ”にして、半導体記憶装置６２３を制御する。そこで、半導体記憶装置６２３におけるクロック発生回路６１９（図５）では、リフレッシュ制御信号４０２のレベルに係わらず、クロック入力信号４０１が信号選択回路４０７により選択されてクロック出力信号４１０として出力される。これにより、クロック入力信号４０１が直接、またはバッファを介してリフレッシュ回路６１５等に入力される場合などと同様に、クロック入力信号４０１における２０周期分の期間Ｔごとに、２回のリフレッシュ動作と、１８回のコマンド処理等とが行われる。
【００９３】
《発明の実施形態１の変形例》
上記のようにクロック入力信号４０１の周波数に応じてクロック出力信号４１０を切換えるのに限らず、常にリフレッシュ時にはクロックパルスが２つ出力されるようにしてもよい。具体的には、例えば、クロック発生回路６１９を共通の回路やマクロとして用いるなどして、実施形態１と同様の半導体装置や光ディスク再生装置を構成するとともに、図５に併せて符号Ａで示すように、低速動作制御信号４０３が“Ｈ”に固定されるようにしてもよい。このような構成は、クロック入力信号４０１の周波数に係わらずクロック効率を向上させる場合などに適用できる。
【００９４】
一方、図５に符号Ｂで示すように、リフレッシュ制御信号４０２が“Ｌ”に固定されるようにしてもよい。この場合には、常にクロック入力信号４０１が信号選択回路４０７を介してクロック出力信号４１０として出力される。それゆえ、例えば、実施形態１と共通の回路を用いて、クロック発生回路６１９をバッファ等として機能させることなどができる。
【００９５】
《発明の実施形態２》
（半導体装置６２８等の構成）
実施形態２の半導体記憶装置は、実施形態１の半導体記憶装置６２３（図４、図５）と比べて、図９、図１０に示すように、クロック発生回路６１９に代えてクロック発生回路８１９，８１９’が用いられた２つの半導体記憶装置６２３，６２３’を備えている。その他の点は実施形態１と同様であり、図８に示したような光ディスク再生装置等に適用できる点も同様である。
【００９６】
上記クロック発生回路８１９，８１９’は、実施形態１のクロック発生回路６１９と比べて、さらに、反転論理和回路（ＮＯＲ）８０６と、低速動作分散信号８１１により切換え制御される信号選択回路８０８とを備える点が異なる。他の構成要素は、実質的に実施形態１と同じである。具体的には、図１０において、８０１はクロック入力信号、８０２はリフレッシュ動作を指示するリフレッシュ制御信号、８０３，８０３’は低速動作制御信号、８０４は反転回路（ＮＯＴ回路）、８０５は反転排他的論理和回路（ＥＸＮＯＲ回路）、８０６は反転論理和回路（ＮＯＲ回路）、８０７は論理積回路（ＡＮＤ回路）、８０８、８０９はそれぞれ信号選択回路、８１０は信号選択回路８０９の切換え信号、８１１は信号選択回路８０８の切換え信号となる低速動作分散信号、８１２は内部クロック信号ａ、８１３は内部クロック信号ｂ、８１４は信号選択回路８０８の出力信号、８１５，８１５’はクロック出力信号である。
【００９７】
図１１、図１２は、上記クロック発生回路８１９，８１９’の入出力信号、および内部の信号の波形図である。すなわち、クロック発生回路８１９，８１９’は、同図に示すようなクロック入力信号８０１、リフレッシュ制御信号８０２、低速動作制御信号８０３，８０３’、および低速動作分散信号８１１が入力されて、クロック出力信号８１５，８１５’を出力するようになっている。
【００９８】
ここで、リフレッシュタイミングの条件は、実施形態１と同じく、期間Ｔあたり２回のリフレッシュ動作が必要であるとする。
【００９９】
クロック発生回路８１９，８１９’には、クロック入力信号８０１として、実施形態１と同様に、情報記録媒体の種類の判別等に応じた所定の高い周波数、またはその１／４の低い周波数の信号が選択的に入力されるようになっている。クロック発生回路８１９に入力される低速動作制御信号８０３は、上記クロック入力信号４０１が高い周波数の場合に“Ｌ”、低い周波数の場合に“Ｈ”に維持されるようになっている。一方、クロック発生回路８１９’に入力される低速動作制御信号８０３’は、例えば図１０に符号Ｃで示すように、常に“Ｌ”に固定されている。また、上記低速動作分散信号８１１は、クロック発生回路８１９，８１９’共に、常に“Ｈ”に固定されている。さらに、リフレッシュ制御信号８０２は、クロック入力信号８０１が高い周波数の場合には、実施形態１と同様、期間Ｔに２回“Ｈ”になるとともに、クロック入力信号８０１が低い周波数の場合には、その低い周波数での２周期分の期間、“Ｈ”にされるようになっている。
【０１００】
（半導体装置６２８等の動作）
＜高クロック周波数の場合における、リフレッシュ期間および他の期間＞
クロック入力信号８０１の周波数が高い場合には（図１１）、リフレッシュ期間であるかどうかに係わらず、クロック発生回路８１９，８１９’共に、クロック入力信号８０１がそのままクロック出力信号８１５，８１５’として出力される。
【０１０１】
すなわち、クロック発生回路８１９’では、常に低速動作制御信号８０３’が“Ｌ”に固定されているので、クロック入力信号８０１が信号選択回路８０９により選択されて出力される。
【０１０２】
また、クロック発生回路８１９では、クロック入力信号８０１の周波数が高い場合には、低速動作制御信号８０３が“Ｌ”に維持されることによって、やはりクロック入力信号８０１が選択されて出力される。
【０１０３】
それゆえ、実施形態１と同様に、リフレッシュ制御信号８０２が期間Ｔ内に２回“Ｈ”になることによって、クロック出力信号８１５，８１５’が立ち上がるタイミングで適切なリフレッシュ動作が行われるとともに、リフレッシュ制御信号８０２が“Ｌ”の期間に１８回のコマンド処理等が行われる。
【０１０４】
＜低クロック周波数の場合における、リフレッシュ以外の期間＞
クロック入力信号８０１の周波数が低い場合でも（図１２）、リフレッシュ期間以外は、やはり、クロック発生回路８１９，８１９’共に、クロック入力信号８０１がそのままクロック出力信号８１５，８１５’として出力される。
【０１０５】
すなわち、クロック発生回路８１９’では、常に低速動作制御信号８０３’が“Ｌ”に固定されていることにより、信号選択回路８０８によってクロック入力信号８０１が選択されて出力される。
【０１０６】
また、クロック発生回路８１９では、リフレッシュ制御信号８０２が“Ｌ”であることにより、同様にクロック入力信号８０１が選択されて出力される。そこで、期間Ｔあたり３回のコマンド処理等が行われる。
【０１０７】
＜低クロック周波数の場合における、リフレッシュ期間＞
クロック入力信号８０１の周波数が低い場合（図１２）のリフレッシュ期間では、クロック発生回路８１９’では、やはり、常に低速動作制御信号８０３’が“Ｌ”に固定されていることによって、クロック入力信号８０１がそのままクロック出力信号８１５’として出力される。
【０１０８】
一方、クロック発生回路８１９では、低速動作分散信号８１１は“Ｈ”に固定されているとともに、低速動作制御信号８０３およびリフレッシュ制御信号８０２が“Ｈ”になって切換え信号８１０が“Ｈ”になるので、信号選択回路８０８、および信号選択回路８０９によって、それぞれ内部クロック信号ｂ８１３、および出力信号８１４が選択される。上記内部クロック信号ｂ８１３は、クロック入力信号８０１と、その反転信号との反転論理和回路なので、クロック入力信号８０１が立ち下がるタイミングで、反転回路８０４の遅延時間だけ“Ｈ”になるパルスが生成され、クロック出力信号８１５として出力される。
【０１０９】
この場合、半導体記憶装置６２３’では、クロック入力信号８０１の立ち上がりタイミングでリフレッシュが行われ、半導体記憶装置６２３では、クロック入力信号８０１の立ち下がりタイミングでリフレッシュが行われる。すなわち、クロック入力信号８０１の周波数が低い場合には互いにずれたタイミングでリフレッシュが行われるので、リフレッシュ電流が消費されるタイミングを分散させて、消費電力の集中を緩和し、半導体装置の平均消費電流を低減する事が可能となる。
【０１１０】
《発明の実施形態２の変形例》
上記の例では、一方の半導体記憶装置６２３については、クロック入力信号８０１の周波数が低いときにだけ、低速動作制御信号８０３が“Ｈ”にされる例を示したが、これに限らず、例えば図１０に併せて符号Ｄで示すように、常に低速動作制御信号８０３が“Ｈ”に固定されるようにして、リフレッシュ動作がクロック入力信号８０１の周波数に係わらず、半導体記憶装置６２３，６２３’で常に互いにずれて行われるようにしてもよい。
【０１１１】
また、低速動作制御信号８０３が“Ｌ”に固定された半導体記憶装置６２３を単独で、または複数設けるようにしてもい。すなわち、この場合には、前記実施形態１の変形例で説明したのと同じように、実施形態２と共通の回路を用いて、クロック発生回路６１９をバッファ等として機能させることなどができる。
【０１１２】
また、低速動作分散信号８１１が“Ｈ”に固定されるのに限らず、図１０に併せて符号Ｅで示すように、“Ｌ”に固定されるようにしてもよい。この場合には、信号選択回路８０８は常に内部クロック信号ａ８１２を選択するので、リフレッシュ制御信号８０２、および低速動作制御信号８０３に応じて、実施形態１やその変形例におけるクロック発生回路６１９と同じ動作をさせて、クロック効率を向上させることなどができる。よって、やはり回路の共通化を図ることなどが容易にできる。
【０１１３】
さらに、低速動作分散信号８１１が“Ｈ”または“Ｌ”に固定されるのに限らず、例えば、要求されるコマンド処理能力や、消費電流に応じて、論理回路７０６等により動的に制御されて、実施形態１と同様に１クロック周期で２回リフレッシュが行われるようにしたり、複数の半導体記憶装置６２３でリフレッシュタイミングが互いにずれるようにしたりしてもよい。すなわち、これにより、例えば、見かけ上のリフレッシュ動作に必要なクロック数を半分に減らす事や、リフレッシュ電流が消費されるタイミングを分散する事などが可能となる。よって、半導体装置において、データ転送レートの低下を改善しながら、半導体装置を使用する光ディスク再生装置に対して消費電力の低減や分散も出来る構成を実現する事などが可能となる。
【０１１４】
《その他の事項》
上記のように、単独、または複数の半導体装置に半導体記憶装置を設け、個々の半導体記憶装置に対して、低速動作分散信号８１１や、低速動作制御信号８０３，４０３の“Ｈ”“Ｌ”の状態を固定的または動的に種々に制御して、様々に低速動作制御や低速分散制御を組み合わせる事により、光ディスク再生装置等として最適な低消費電力などを実現する事も可能である。
【０１１５】
なお、上記実施形態では、ＤＲＡＭが用いられる例を説明したが、ＤＲＡＭに限らず、リフレッシュ動作が必要な全てのメモリセルを用いる事もまた、極めて容易である。
【０１１６】
また、上記実施形態では、光ディスク再生装置の例を説明したが、光ディスク再生装置に限らず、動作仕様によりメモリとのデータ転送レートが異なるシステムに搭載する半導体装置等に適用する事もまた、極めて容易である。
【０１１７】
上記のような実施形態によれば、製品サイクルが短いＡＶ機器を中心として民生用途から車載用途までをカバーし、分野別では、主なものでも光ディスク、デジタルＴＶ、デジタルカメラ、デジタルオーディオなど幅広いジャンルに及んでいる半導体装置を効率的に開発する事が可能であり、結果として収益を向上させる効果が得られる。
【産業上の利用可能性】
【０１１８】
本発明の半導体記憶装置は、例えば、半導体装置の低消費電力化、データ転送レートの向上等に有用である。
【符号の説明】
【０１１９】
４０１      クロック入力信号
４０２      リフレッシュ制御信号
４０３      低速動作制御信号
４０４      反転回路
４０５      反転排他的論理和回路
４０６      論理積回路
４０７      信号選択回路
４０８      切換え信号
４０９      内部クロック信号
４１０      クロック出力信号
６０１      メモリセル領域
６０２      行デコーダ回路
６０３      列デコーダ回路
６０４      センスリードライトアンプ回路
６０５      内部データ入出力線
６０６      外部データ入出力線
６０７      データ入出力回路
６０８      行アドレス
６０９      列アドレス
６１０      アドレス制御信号
６１１      アドレス入力回路
６１２      外部制御信号
６１３      制御回路
６１４      内部アドレス制御信号
６１５      リフレッシュ回路
６１６      タイミング調整信号
６１７      タイミング発生回路
６１９      クロック発生回路
６２１      メモリアレイ領域
６２２      制御領域
６２３      半導体記憶装置
６２３’    半導体記憶装置
６２４      大規模論理回路領域
６２５      冗長救済アドレス記憶回路
６２６      冗長救済アドレス線
６２７      外部端子群
６２８      半導体装置
７０１      情報記録媒体
７０２      光ピックアップ
７０３      データ信号
７０４      光ディスク判別回路
７０５      データ信号
７０６      論理回路
７０７      ＰＬＬ回路
７０９      制御信号
７１０      クロック出力信号
７１３      データバス
８０１      クロック入力信号
８０２      リフレッシュ制御信号
８０３      低速動作制御信号
８０３’    低速動作制御信号
８０４      反転回路
８０５      反転排他的論理和回路
８０６      反転論理和回路
８０８      信号選択回路
８０９      信号選択回路
８１０      切換え信号
８１１      低速動作分散信号
８１２      内部クロック信号ａ
８１３      内部クロック信号ｂ
８１４      出力信号
８１５      クロック出力信号
８１５’    クロック出力信号
８１９      クロック発生回路
８１９’    クロック発生回路
【図１】
2009150844.tif 000003
【図２】
2009150844.tif 000004
【図３】
2009150844.tif 000005
【図４】
2009150844.tif 000006
【図５】
2009150844.tif 000007
【図６】
2009150844.tif 000008
【図７】
2009150844.tif 000009
【図８】
2009150844.tif 000010
【図９】
2009150844.tif 000011
【図１０】
2009150844.tif 000012
【図１１】
2009150844.tif 000013
【図１２】
2009150844.tif 000014
【手続補正書】
【提出日】平成22年9月1日(2010.9.1)
【手続補正１】
【補正対象書類名】明細書
【補正対象項目名】全文
【補正方法】変更
【補正の内容】
【発明の詳細な説明】
【技術分野】
【０００１】
本発明は、半導体記憶装置のリフレッシュ機能に関し、例えば、搭載される半導体装置の動作周波数仕様が低い場合でもデータ転送レートの低下を防止するとともに、低消費電力化や電力平準化によるレイアウト設計容易化、ノイズ低減などに寄与する回路動作に関するものである。
【背景技術】
【０００２】
近年の半導体装置は、微細化技術の進歩による高集積化が、半導体メーカ間の競争も相俟ってますます加速している。なかでもマイクロプロセッサやＡＳＩＣ（Application Specific Integrated Circuit）、カスタムロジック回路などと、大容量のメモリとを１つの半導体チップ上に構成したシステムＬＳＩと呼ばれる半導体装置は、実装される製品の性能、差別化を決定付ける、高付加価値を訴求できるキーデバイスとして、各メーカが注力している製品分野の製品である。
【０００３】
このような半導体装置を設計する上で、半導体装置に搭載される、ＤＲＡＭ（Dynamic Random Access Memory）、ＲＯＭ（Read Only Memory）、ＳＲＡＭ（Static Random Access Memory）などと分類されるメモリは、ハードウェアライブラリとして用いられ、様々な仕様が要求される。
【０００４】
しかも、システムＬＳＩの用途は製品サイクルが短いＡＶ（Audio / Visual）機器を中心としており、それは、搭載されるハードウェアライブラリにおいても例外では無い。また、より具体的なシステムＬＳＩの用途別では民生用途から車載用途までをカバーし、分野別では、主なものでも光ディスク記録再生装置、ディジタルテレビ受像機、ディジタルカメラ、ディジタルオーディオ機器など幅広いジャンルに及んでいる。これら、多種多様なシステムＬＳＩ群に共通で適用出来る、半導体記憶装置を含むハードウェアライブラリを如何に効率的に開発出来るかが、各社の収益を左右する要因ともなっている。
【０００５】
なお、上記の説明は、本発明の半導体記憶装置が適用される一例であって、用途や用い方の限定を意味するものではない。
【０００６】
次に、従来のＤＲＡＭを含む半導体装置の基本回路構成を図１に示す。図１において、
１０１は、メモリセルをマトリックス状に配列したメモリセル領域、
１０２は、前記メモリセル領域１０１における行方向に並んだメモリセルからなるグループのうちの１つを選択するための選択信号を出力する行デコーダ回路、
１０３は、前記メモリセル領域１０１における列方向に並んだメモリセルからなるグループのうちの１つを選択するための選択信号を出力する列デコーダ回路、
１０４は、前記行デコーダ回路１０２および前記列デコーダ回路１０３により選択指示されたメモリセルに対してデータを読み書きするセンスリードライトアンプ回路、
１０５は、内部データ入出力線、
１０６は、外部データ入出力線、
１０７は、前記センスリードライトアンプ回路１０４との間で送受されるデータを外部データ入出力線１０６を介して大規模論理回路領域１２４との間で入出力するデータ入出力回路、
１０８は、行方向に並んだメモリセルからなるグループのうちの１つの選択を前記行デコーダ回路１０２に指定する行アドレス、
１０９は、列方向に並んだメモリセルからなるグループのうちの１つの選択を前記列デコーダ回路１０３に指定する列アドレス、
１１０は、アドレス制御信号、
１１１は、前記アドレス制御信号１１０に従い、前記行デコーダ回路１０２に前記行アドレス１０８を出力するとともに、前記列デコーダ回路１０３に前記列アドレス１０９を出力するアドレス入力回路、
１１２は、外部制御信号、
１１３は、前記アドレス制御信号１１０を前記外部制御信号１１２に従い出力する制御回路、
１１４は、内部アドレス制御信号、
１１５は、待機時に前記アドレス制御信号１１０と等価な内部アドレス制御信号１１４を発生して前記メモリセル領域１０１のリフレッシュ動作を行わせるリフレッシュ回路、
１１６は、タイミング調整信号、
１１７は、前記アドレス入力回路１１１と前記制御回路１１３と前記リフレッシュ回路１１５のタイミング調整を前記タイミング調整信号１１６を出力して行うタイミング発生回路、
１１８は、内部同期クロック信号、
１１９は、前記データ入出力回路１０７と前記アドレス入力回路１１１と前記制御回路１１３と前記リフレッシュ回路１１５と前記タイミング発生回路１１７の同期を前記内部同期クロック信号１１８を出力して取るクロック発生回路、
１２０は、外部クロック信号、
１２１は、メモリセル領域１０１、行デコーダ回路１０２、列デコーダ回路１０３、センスリードライトアンプ回路１０４、およびデータ入出力回路１０７から構成されるメモリアレイ領域、
１２２は、アドレス入力回路１１１、制御回路１１３、リフレッシュ回路１１５、タイミング発生回路１１７、およびクロック発生回路１１９から構成される制御領域、
１２３は、前記メモリアレイ領域１２１、および前記制御領域１２２から構成される半導体記憶装置、
１２４は、スタンダードセルを用いて構成される大規模論理回路領域、
１２５は、冗長救済アドレス記憶回路、
１２６は、前記冗長救済アドレス記憶回路１２５を前記メモリアレイ領域１２１に接続する冗長救済アドレス線、
１２７は、前記半導体記憶装置１２３や大規模論理回路領域１２４に接続される外部端子群、
１２８は、前記半導体記憶装置１２３、前記大規模論理回路領域１２４、前記冗長救済アドレス記憶回路１２５、および前記外部端子群１２７から構成される半導体装置である。
【０００７】
ここで、上記クロック発生回路１１９は、制御回路１１３等を駆動する能力等の必要に応じて設けられるもので、具体的には例えばバッファ回路から成り、入力された外部クロック信号１２０と同じ論理レベルの内部同期クロック信号１１８を出力するものである。
【０００８】
図１に従い、簡単に動作の概要を説明する。
【０００９】
前記外部端子群１２７から入力される前記外部クロック信号１２０により前記クロック発生回路１１９が前記内部同期クロック信号１１８を出力し、前記データ入出力回路１０７、前記アドレス入力回路１１１、前記制御回路１１３、前記リフレッシュ回路１１５、前記タイミング発生回路１１７間の同期を取るクロックとして供給する。前記内部同期クロック信号１１８のもとで、前記外部制御信号１１２に従い、前記制御回路１１３は前記アドレス制御信号１１０を発生し、前記アドレス入力回路１１１に入力する。
【００１０】
前記アドレス入力回路１１１は前記行アドレス１０８を発生し前記行デコーダ回路１０２に入力し、前記列アドレス１０９を発生し前記列デコーダ回路１０３へ入力する。前記行デコーダ回路１０２と前記列デコーダ回路１０３に入力された値に応じて、前記メモリセル領域１０１内のメモリセルが選択され、前記センスリードライトアンプ回路１０４との間での読み書き動作が行われ、前記内部データ入出力線１０５、前記データ入出力回路１０７、前記外部データ入出力線１０６を介して、前記大規模論理回路領域１２４との間でデータの入出力動作が行われる。
【００１１】
前記リフレッシュ回路１１５による動作は、基本的に上記と同様であり、内部アドレス制御信号１１４がアドレス入力回路１１１に入力されることによって、前記アドレス制御信号１１０がアドレス入力回路１１１に入力される場合と同じような動作が行われる。異なるのは、前記センスリードライトアンプ回路１０４に読み出されたデータが前記メモリセルに書き込まれるだけで、前記内部データ入出力線１０５、前記データ入出力回路１０７、前記外部データ入出力線１０６を介した前記大規模論理回路領域１２４との間でのデータの入出力動作が行われない点である。
【００１２】
前記冗長救済アドレス記憶回路１２５、冗長救済アドレス線１２６による動作の説明は割愛する。
【００１３】
以上説明したような動作をする半導体記憶装置では、メモリアレイ領域１２１と大規模論理回路領域１２４とが１つの半導体集積回路上に設けられていることによって、前記外部データ入出力線１０６を多ビットバスにする事が比較的容易であり、したがって、データ転送レートを確保しつつ、クロック信号の周波数を低くして、低消費電力化を図りやすい。
【先行技術文献】
【特許文献】
【００１４】
【特許文献１】特開平８−１３８３７４号公報
【発明の概要】
【発明が解決しようとする課題】
【００１５】
しかしながら、上記のようなメモリアレイ領域１２１のリフレッシュ動作は、所定の周期ごとに所定回数の頻度で行われる必要がある。このリフレッシュ頻度は、クロック信号の周波数に係わらず一定なので、クロック信号の周波数が低いほど、データの転送等、リフレッシュ以外の動作が行われる帯域（例えば用いられるクロックパルスの割合）が低下する。
【００１６】
具体的には、例えば図２に示すように、ある周波数の外部クロック信号１２０に対して２０クロックパルスあたり２つのクロックパルスによって２回のリフレッシュ動作が必要だとすると、残りの１８クロックパルス、すなわち９０％の帯域でコマンド処理等の動作を行えることになる。これに対して、図３に示すように、例えば外部クロック信号１２０の周波数を１／４に低下させると、コマンド処理等に用いることのできるクロックパルスは、５クロックパルスあたり３クロックパルスになるので、帯域は６０％に低下することになる。
【００１７】
このため、クロック信号の周波数を大幅に低下させて消費電力を低減することが困難であった。特に、例えば、映像信号処理を行う半導体装置に比べて音声信号処理を行う半導体装置のように処理する信号のデータ量が桁違いに少ない場合でも、クロック信号の周波数を大幅に低下させることが困難である。上記のような課題は、例えば、音声信号処理を行う携帯機器などのように、処理するデータ量が少なく、かつ低消費電力に対する要求が特に強い機器に搭載される半導体装置などの場合には、より顕著なものとなる。
【００１８】
本発明は、かかる点に鑑みてなされたものであり、メモリのリフレッシュを適切に行い、かつ、データ転送レートの確保等を図りつつ、クロック信号の周波数を容易に低下できるようにすることなどを目的とする。
【課題を解決するための手段】
【００１９】
上記の課題を解決するため、
第１の発明の例は、
メモリセルを備え、上記メモリセルのリフレッシュ機能を有する半導体記憶装置であって、
第１のクロックを入力として、前記第１のクロックの逆相から第２のクロックを生成して出力するクロック発生回路を備え、
前記第１のクロックと前記第２のクロックの少なくとも１つのクロックに同期して、前記リフレッシュ機能の動作を行うことを特徴とする。
【００２０】
これにより、低速周波数仕様の場合に、データ転送レートの低下を改善し、半導体記憶装置を搭載する半導体装置において、低消費電力化を維持したまま、性能を向上させる効果が得られる。
【００２１】
第２の発明の例は、
第１の発明の例の半導体記憶装置であって、さらに、
リフレッシュ動作を前記第１のクロックのみに同期して行うか、前記第２のクロックのみに同期して行うかの選択を制御信号により切換える選択回路を備えたことを特徴とする。
【００２２】
これにより、低速周波数仕様の場合に、データ転送レートの低下を改善し、低消費電力化を維持したまま、性能を向上させる効果が簡便な回路追加で実現出来る効果が得られる。
【００２３】
第３の発明の例は、半導体装置であって、
第２の発明の例の半導体記憶装置と、
論理回路と、
外部との間で信号を入出力する入出力回路、および前記入出力回路に接続される電極パッドを有するＩＯブロックとを備え、
ＩＯブロックを介して入力された外部信号が前記論理回路に入力されて、前記選択回路の切換えを制御する前記制御信号が生成されることを特徴とする。
【００２４】
これにより、簡単に制御出来る効果が得られる。
【００２５】
第４の発明の例は、
第３の発明の例の半導体装置であって、さらに、
前記ＩＯブロックを介して入力された外部信号によって制御される周波数のクロックを発生し、前記半導体記憶装置、および前記論理回路に入力するＰＬＬ回路を備えたことを特徴とする。
【００２６】
これにより、前記半導体記憶装置や前記論理回路へ入力されるクロックの周波数を簡単に変更する事が出来る効果が得られる。
【００２７】
第５の発明の例は、
第３および第４のうち何れか１つの発明の例の半導体装置であって、
前記第１のクロックのみに同期してリフレッシュ動作を行う前記半導体記憶装置と、
前記第２のクロックのみに同期してリフレッシュ動作を行う前記半導体記憶装置を任意の組み合わせで備えたことを特徴とする。
【００２８】
これにより、リフレッシュ動作による消費電流が時間軸で分散出来るので、半導体装置としても消費電力の平準化を実現出来る効果が得られる。
【００２９】
第６の発明の例は、光ディスク再生装置であって、
メモリセルのリフレッシュ機能および、第１のクロックを入力として、前記第１のクロックの逆相から第２のクロックを生成して出力するクロック発生器およびリフレッシュ動作を前記第１のクロックのみに同期して行うか、前記第２のクロックのみに同期して行うかの選択を制御信号により切換える選択回路を備えた半導体記憶回路と、論理回路と、信号を入出力する入出力回路および前記入出力回路に接続される電極パッドを有するＩＯブロックと、発生するクロックの周波数が制御信号により変更可能なＰＬＬ回路とを備えた半導体装置と、
光ピックアップと、
前記光ピックアップが読み取ったデータ信号に基づいて複数の種類の情報記録媒体を判別出来る信号を出力する回路とを備えた光ディスク再生装置であって、
前記複数の種類の情報記録媒体を判別出来る信号を前記半導体装置のＩＯブロックへ外部信号として入力し、
前記外部信号が前記論理回路に入力されて、前記半導体記憶装置の選択回路へ入力される前記制御信号を生成して、前記半導体記憶装置のリフレッシュ動作を制御することを特徴とする。
【００３０】
これにより、動作状況に応じて、消費電流の平準化や低減を実現する事が出来る効果が得られる。
【００３１】
第７の発明の例は、光ディスク再生装置であって、
メモリセルのリフレッシュ機能を備えた半導体記憶回路において、第１のクロックを入力として、前記第１のクロックの逆相から第２のクロックを生成して出力するクロック発生器およびリフレッシュ動作を前記第１のクロックのみに同期して行うか、前記第２のクロックのみに同期して行うかの選択を制御信号により切換える選択回路を備えた半導体記憶回路と、論理回路と、信号を入出力する入出力回路および前記入出力回路に接続される電極パッドを有するＩＯブロックと、発生するクロックの周波数が制御信号により変更可能なＰＬＬ回路とを備えた半導体装置と、
光ピックアップと、
前記光ピックアップが読み取ったデータ信号に基づいて複数の種類の情報記録媒体を判別出来る信号を出力する回路とを備えた光ディスク再生装置であって、
前記複数の種類の情報記録媒体を判別出来る信号を前記半導体装置のＩＯブロックへ外部信号として入力し、
前記外部信号により前記半導体記憶装置および前記論理回路へ入力されるクロックの周波数を変更することを特徴とする。
【００３２】
これにより、動作状況に応じて、消費電流の平準化や低減を実現する事が出来る効果が得られる。
【００３３】
第８の発明の例は、
第１の発明の例の半導体記憶装置であって、
前記クロック発生回路は、１クロック周期あたり２つのパルスを含む前記第２のクロックを生成することを特徴とする。
【００３４】
第９の発明の例は、
第８の発明の例の半導体記憶装置であって、
前記クロック発生回路は、
前記第１のクロックを反転させて逆相信号を出力するＮＯＴ回路と、
前記第１のクロックと逆相信号とに基いて、前記第２のクロックを生成するＥＸＮＯＲ回路と、
を有することを特徴とする。
【００３５】
第１０の発明の例は、
第８の発明の例の半導体記憶装置であって、
前記クロック発生回路は、
前記第１、および第２のクロックの一方を選択するセレクタを備えたことを特徴とする。
【００３６】
これらにより、クロック信号の効率を高くすることなどができる。
【００３７】
第１１の発明の例は、
第１０の発明の例の半導体記憶装置であって、
前記セレクタは、当該半導体記憶装置の外部から入力される制御信号に応じて上記選択をすることを特徴とする。
【００３８】
これにより、クロック信号の効率を高くするかどうかを容易に制御できる。
【００３９】
第１２の発明の例は、
第１０の発明の例の半導体記憶装置であって、
前記セレクタは、リフレッシュ時に、第１、および第２のクロックの一方を固定的に選択するように構成されていることを特徴とする。
【００４０】
これにより、上記のような回路を用いてバッファなどとして機能させたり、クロック信号の効率を高くしたりすることなどができる。
【００４１】
第１３の発明の例は、
第８の発明の例の半導体記憶装置であって、
前記クロック発生回路は、セレクタを備えるとともに、
前記クロック発生回路は、さらに、第１のクロックの遷移タイミングに対して、ずれたタイミングで遷移して前記リフレッシュを行わせる第３のクロックを生成するように構成され、
前記セレクタは、前記第１、第２、および第３のクロックのうちの何れかを選択することを特徴とする。
【００４２】
第１４の発明の例は、
第１３の発明の例の半導体記憶装置であって、
前記クロック発生回路は、
前記第１のクロックを反転させて逆相信号を出力するＮＯＴ回路と、
前記第１のクロックと逆相信号とに基いて、前記第３のクロックを生成するＮＯＲ回路と、
を有することを特徴とする。
【００４３】
これらにより、クロック信号の効率を高くしたり、リフレッシュ時に電流を分散させたりすることなどができる。
【００４４】
第１５の発明の例は、
第１３の発明の例の半導体記憶装置であって、
前記セレクタは、前記第１、および第２のクロックのうちの一方を選択することを特徴とする。
【００４５】
これにより、第３のクロックを生成可能な装置を用いて、第１１の発明の例の装置と同じような動作をさせることなどができる。
【００４６】
第１６の発明の例は、
第１３の発明の例の半導体記憶装置であって、
前記メモリセルとクロック発生回路との第１の組と、第２の組とを有し、
前記第１の組のセレクタは、前記第１のクロックを固定的に選択する一方、
前記第２の組のセレクタは、リフレッシュ時に、前記第１、および第３のクロックのうちの一方を選択することを特徴とする。
【００４７】
第１７の発明の例は、
第１６の発明の例の半導体記憶装置であって、
前記第２の組のセレクタは、リフレッシュ時に、第３のクロックを固定的に選択するように構成されていることを特徴とする。
【００４８】
これらにより、リフレッシュ時に電流を分散させたりすることなどができる。
【００４９】
第１８の発明の例は、
第１０の発明の例の半導体記憶装置を備えた半導体装置であって、
前記セレクタは前記第１のクロックが第１の周波数の場合に、前記第１のクロックを選択する一方、前記第１の周波数よりも低い第２の周波数の場合に、前記第２のクロックを選択することを特徴とする。
【００５０】
第１９の発明の例は、
第１８の発明の例の半導体装置を備えた光ディスク再生装置であって、
さらに、
記録媒体に記録された情報を読み出す光ピックアップと、
記録媒体から読み出された情報の処理のために前記半導体装置における半導体記憶装置に供給されるべきクロックの周波数を判別し、判別信号を出力する判別回路と、
を備え、
前記セレクタは、前記判別信号に応じて、前記第１または第２のクロックを選択することを特徴とする。
【００５１】
第２０の発明の例は、
第１９の発明の例の光ディスク再生装置であって、
さらに、前記判別信号に応じた周波数の第１のクロックを生成するＰＬＬ回路を備えたことを特徴とする。
【００５２】
これらにより、第１のクロックの周波数が低い場合にクロック信号の効率を高くすることなどができる。
【発明の効果】
【００５３】
本発明によれば、低速周波数仕様の場合に、データ転送レートの低下を改善し、半導体記憶装置を搭載する半導体装置において、低消費電力化を維持したまま、性能を向上させるなどの効果が得られる。
【図面の簡単な説明】
【００５４】
【図１】従来の半導体記憶装置１２３を含む半導体装置１２８の構成を示すブロック図である。
【図２】上記従来の半導体記憶装置１２３の要部の信号の例を示すタイミングチャートである。
【図３】上記従来の半導体記憶装置１２３の要部の信号の他の例を示すタイミングチャートである。
【図４】本発明の実施形態１の半導体装置６２８の構成を示すブロック図である。
【図５】上記半導体装置６２８の半導体記憶装置６２３に設けられるクロック発生回路６１９の構成を示す回路図である。
【図６】クロック信号の周波数が高い場合の上記クロック発生回路６１９の各部の信号の例を示すタイミングチャートである。
【図７】クロック信号の周波数が低い場合の上記クロック発生回路６１９の各部の信号の例を示すタイミングチャートである。
【図８】上記半導体装置６２８を用いた光ディスク再生装置の構成を示すブロック図である。
【図９】本発明の実施形態２の半導体装置６２８の構成を示すブロック図である。
【図１０】上記半導体装置６２８の半導体記憶装置６２３，６２３’に設けられるクロック発生回路８１９の構成を示す回路図である。
【図１１】クロック信号の周波数が高い場合の上記クロック発生回路８１９の各部の信号の例を示すタイミングチャートである。
【図１２】クロック信号の周波数が低い場合の上記クロック発生回路８１９の各部の信号の例を示すタイミングチャートである。
【発明を実施するための形態】
【００５５】
以下、本発明の実施形態を図面に基づいて詳細に説明する。なお、以下の各実施形態において、他の実施形態と同様の機能を有する構成要素については適宜同一の符号を付して説明を省略する。
【００５６】
《発明の実施形態１》
本発明の第１の実施形態として、図４〜図８に基づき、半導体記憶装置６２３を備えた半導体装置６２８、およびその半導体装置６２８用いた光ディスク再生装置について説明する。この例では、半導体記憶装置６２３としてＤＲＡＭ（Dynamic Random Access Memory）が用いられている。
【００５７】
（半導体装置６２８の構成）
まず、半導体装置６２８の構成について説明する。図４は、半導体装置６２８の構成を示すブロック図である。この半導体装置６２８は、半導体記憶装置６２３を備えるとともに、大規模論理回路領域６２４、冗長救済アドレス記憶回路６２５、および外部端子群６２７を備えて構成されている。
【００５８】
（半導体装置６２８における半導体記憶装置６２３の構成）
上記半導体記憶装置６２３は、メモリアレイ領域６２１と、制御領域６２２とを有している。
【００５９】
上記メモリアレイ領域６２１において、
６０１は、メモリセルをマトリックス状に配列したメモリセル領域、
６０２は、前記メモリセル領域６０１における行方向に並んだメモリセルからなるグループのうちの１つを選択するための選択信号を出力する行デコーダ回路、
６０３は、前記メモリセル領域６０１における列方向に並んだメモリセルからなるグループのうちの１つを選択するための選択信号を出力する列デコーダ回路、
６０４は、前記行デコーダ回路６０２および前記列デコーダ回路６０３により選択指示されたメモリセルに対してデータを読み書きするセンスリードライトアンプ回路、
６０５は、内部データ入出力線、
６０６は、外部データ入出力線、
６０７は、前記センスリードライトアンプ回路６０４との間で送受されるデータを外部データ入出力線６０６を介して大規模論理回路領域６２４との間で入出力するデータ入出力回路、
である。
【００６０】
また、上記制御領域６２２において、
６０８は、行方向に並んだメモリセルからなるグループのうちの１つの選択を前記行デコーダ回路６０２に指定する行アドレス、
６０９は、列方向に並んだメモリセルからなるグループのうちの１つの選択を前記列デコーダ回路６０３に指定する列アドレス、
６１０は、半導体記憶装置６２３の外部等からの指示に従って、データを読み書きするメモリセルを示すアドレス制御信号、
６１１は、前記アドレス制御信号６１０（または後述する内部アドレス制御信号６１４）に従い、前記行デコーダ回路６０２に前記行アドレス６０８を出力するとともに、前記列デコーダ回路６０３に前記列アドレス６０９を出力するアドレス入力回路、
６１２は、データの読み書き等の指示を示す外部制御信号、
６１３は、前記アドレス制御信号６１０を前記外部制御信号６１２に従い出力する制御回路、
６１４は、リフレッシュされるメモリセルを示す、前記アドレス制御信号６１０と等価な内部アドレス制御信号、
６１５は、前記メモリセル領域６０１にリフレッシュ動作を行わせるために、前記内部アドレス制御信号６１４を発生するリフレッシュ回路、
６１６は、タイミング調整信号、
６１７は、タイミング発生回路、
６１９は、クロック発生回路、
４１０は、クロック出力信号、
４０１は、クロック入力信号、
４０２は、リフレッシュ制御信号、
４０３は、低速動作制御信号、
である。
【００６１】
上記タイミング発生回路６１７は、アドレス入力回路６１１、制御回路６１３、およびリフレッシュ回路６１５のリフレッシュ動作等の動作タイミングを調整するために、タイミング調整信号６１６を出力するものである。具体的には、例えば、リフレッシュ制御信号４０２が“Ｈ”（Ｈｉｇｈレベル）の状態で、クロック発生回路６１９から出力されるクロック出力信号４１０が“Ｌ”（Ｌｏｗレベル）から“Ｈ”に立ち上がった場合に、リフレッシュ動作を指示するタイミング調整信号６１６を各部に出力するようになっている。
【００６２】
上記クロック発生回路６１９は、半導体記憶装置６２３内の各部、具体的には、データ入出力回路６０７、アドレス入力回路６１１、制御回路６１３、リフレッシュ回路６１５、およびタイミング発生回路６１７などの同期を取るためのクロック出力信号４１０を出力するようになっている。
【００６３】
（クロック発生回路６１９具体的な構成）
上記クロック発生回路６１９は、具体的には、例えば図５に示すように構成されている。
【００６４】
図５において、４０１はクロック入力信号（外部クロック信号）、４０２はリフレッシュ動作を指示するリフレッシュ制御信号、４０３は低速動作制御信号、４０４は反転回路（ＮＯＴ回路）、４０５は反転排他的論理和回路（ＥＸＮＯＲ回路）、４０６は論理積回路（ＡＮＤ回路）、４０７は信号選択回路、４０８は前記信号選択回路４０７の切換え信号、４０９は内部クロック信号、４１０はクロック出力信号（内部同期クロック信号）である。
【００６５】
上記クロック発生回路６１９から出力されるクロック出力信号４１０は、半導体装置６２８の外部、または大規模論理回路領域６２４等から入力されるクロック入力信号４０１、リフレッシュ制御信号４０２、および低速動作制御信号４０３に基づいて生成される。
【００６６】
上記クロック入力信号４０１としては、半導体装置６２８の処理内容等に応じて、例えば、図６、図７に示すように、所定の高い周波数（図６）、またはその１／４の低い周波数（図７）の信号が選択的に入力される。
【００６７】
上記低速動作制御信号４０３は、上記クロック入力信号４０１が高い周波数か低い周波数かを示す信号で、例えば高い周波数の信号が入力される場合に“Ｌ”に維持される一方、低い周波数の信号が入力される場合に“Ｈ”に維持されるようになっている。
【００６８】
また、上記リフレッシュ制御信号４０２は、タイミング発生回路６１７に入力されるのと同じ信号である。このリフレッシュ制御信号４０２は、例えば上記クロック入力信号４０１が上記高い周波数の場合には、その高い周波数における２０周期分の期間Ｔあたりに２回、それぞれ１周期の期間だけ“Ｈ”になるようになっている。また、クロック出力信号４１０が上記低い周波数の場合には、上記期間Ｔあたりに、すなわち低い周波数における５周期あたりに１回、１周期の期間だけ“Ｈ”になるようになっている。
【００６９】
上記クロック発生回路６１９に入力されるクロック入力信号４０１の周波数が高い場合には（図６）、低速動作制御信号４０３が“Ｌ”に維持されることによって、信号選択回路４０７の選択により、クロック入力信号４０１がそのままクロック出力信号４１０として出力される。この場合、リフレッシュ制御信号４０２は、前記のように期間Ｔ内に２回“Ｈ”になるが、上記クロック出力信号４１０には影響しない。
【００７０】
ここで、本実施形態の半導体記憶装置６２３において、例えば上記高い周波数のクロック入力信号４０１における２０周期分の期間Ｔあたりに、任意間隔で２回のリフレッシュ動作が必要であるとすると、タイミング発生回路６１７に、上記のような期間Ｔ内に２回“Ｈ”になるリフレッシュ制御信号４０２が入力されることによって、適切なリフレッシュ動作が行われる。また、リフレッシュ制御信号４０２が“Ｌ”になる１８周期分の期間には、外部制御信号６１２によって示されるコマンド処理等が行われる。
【００７１】
一方、クロック発生回路６１９に入力されるクロック入力信号４０１の周波数が低い場合には（図７）、低速動作制御信号４０３が“Ｈ”に維持されることによって、リフレッシュ制御信号４０２がクロック入力信号４０１における１周期の期間だけ“Ｈ”になると、その期間は、信号選択回路４０７の選択によって内部クロック信号４０９が選択される。すなわち、クロック入力信号４０１の立ち上がり、および立ち下がりタイミングで、それぞれ反転回路４０４の遅延時間だけ“Ｈ”になる２つのパルスが、クロック出力信号４１０として出力される。このクロック出力信号４１０がタイミング発生回路６１７に入力されることによって、上記クロック入力信号４０１の周波数が高い場合と同様、期間Ｔあたりに２回のリフレッシュ動作が適切に行われる。また、リフレッシュ制御信号４０２が“Ｌ”でリフレッシュ動作が行われない期間、すなわち、クロック入力信号４０１における５周期あたり４周期の期間は、クロック入力信号４０１がそのままクロック出力信号４１０として出力され、外部制御信号６１２によって示されるコマンド処理等が行われる。
【００７２】
（半導体装置６２８におけるその他の部分について）
半導体装置６２８における大規模論理回路領域６２４は、例えばスタンダードセルを用いて構成され、ＩＯ（Input / Output）機能や、システムＬＳＩとしての主な機能を果たす回路などが形成されたものである。
【００７３】
冗長救済アドレス記憶回路６２５は、冗長救済するメモリセルを示すアドレスを記憶するものである。
【００７４】
冗長救済アドレス線６２６は、前記冗長救済アドレス記憶回路６２５を前記メモリアレイ領域６２１に接続するものである。
【００７５】
外部端子群６２７は、前記半導体記憶装置６２３や大規模論理回路領域６２４等と半導体装置６２８の外部との間で入出力される信号を中継するものである。
【００７６】
（半導体装置６２８の動作）
リフレッシュ制御信号４０２が“Ｌ”であって通常の動作が行われる場合には、前記クロック発生回路６１９が、前記外部端子群６２７等から入力される前記クロック入力信号４０１に基づいて前記クロック出力信号４１０を発生し、前記データ入出力回路６０７、前記アドレス入力回路６１１、前記制御回路６１３、前記リフレッシュ回路６１５、および前記タイミング発生回路６１７間の同期を取るクロックとして供給する。前記制御回路６１３は、前記クロック出力信号４１０に同期して、前記外部制御信号６１２に従い、前記アドレス制御信号６１０を発生して、前記アドレス入力回路６１１に入力する。
【００７７】
前記アドレス入力回路６１１は前記行アドレス６０８を発生して前記行デコーダ回路６０２に入力するとともに、前記列アドレス６０９を発生して前記列デコーダ回路６０３へ入力する。前記行デコーダ回路６０２と前記列デコーダ回路６０３とに入力された値に応じて、前記メモリセル領域６０１内のメモリセルが選択され、前記センスリードライトアンプ回路６０４との間での読み書き動作が行われて、前記内部データ入出力線６０５、前記データ入出力回路６０７、および前記外部データ入出力線６０６を介して、前記センスリードライトアンプ回路６０４と前記大規模論理回路領域６２４との間でのデータの入出力動作が行われる。
【００７８】
また、リフレッシュ制御信号４０２が“Ｈ”となるリフレッシュ時には、クロック出力信号４１０が“Ｈ”に立ち上がると、タイミング発生回路６１７がリフレッシュ動作を指示するタイミング調整信号６１６を出力する。そこで、例えば、リフレッシュ回路６１５が内部カウンタ（不図示）のカウント値をカウントアップし、そのカウント値を内部アドレス制御信号１１４として出力することにより、制御回路１１３がアドレス制御信号１１０を出力した場合と同様の所定のアドレス領域に対してリフレッシュ動作が行われる。リフレッシュ動作自体は、実際にデータの読み書きがなされる場合と基本的に同様である。異なるのは、前記センスリードライトアンプ回路６０４に読み出されたデータが前記メモリセルに書き込まれるだけで、前記内部データ入出力線６０５、前記データ入出力回路６０７、および前記外部データ入出力線６０６を介した前記大規模論理回路領域６２４との間のデータの入出力動作が行われない点である。
【００７９】
ここで、上記リフレッシュ動作においては、クロック入力信号４０１の周波数が低い場合には、リフレッシュ制御信号４０２がクロック入力信号４０１における１周期の期間、“Ｈ”になるだけで、クロック発生回路６１９からクロック出力信号４１０として期間Ｔあたり２回のリフレッシュ動作が行われる。それゆえ、上記期間Ｔ内に、５クロックパルスのうちの４クロックパルスをデータの転送や読み書きなどのコマンド処理に用いることができるので、半導体装置６２８の処理能力を確保することが容易にできる。または、クロック入力信号４０１の周波数をより低く設定して消費電力の低下を図ることなども容易にできる。
【００８０】
（上記半導体装置６２８用いた光ディスク再生装置の構成）
図８は、上記半導体記憶装置６２３を含む半導体装置６２８を用いた光ディスク再生装置のシステム構成を示すブロック図である。
【００８１】
図８において、７０１は情報記録媒体であり、例えばＤＶＤ（Digital Video Disc、Digital Versatile Disc）とＣＤ（Compact Disc）のように、データ量やデータ構造などが異なるためにデータ処理に必要なクロック信号の周波数が異なる複数種類の情報記録媒体７０１が装填可能になっている。７０２は情報記録媒体７０１に記録された情報を読み取る光ピックアップ、７０３は光ピックアップ７０２が読み取ったデータに応じたデータ信号、７０４はデータ信号７０３の内容から情報記録媒体７０１の種類を判別する光ディスク判別回路、７０５はデータ信号７０３と情報記録媒体７０１の種類を判別した信号を含むデータ信号、７０６はデータ信号７０５を信号処理する回路、７０７はＰＬＬ（Phase Locked Loop）回路、７０９は論理回路７０６がＰＬＬ回路７０７を制御するための信号、７１０はＰＬＬ回路７０７が論理回路７０６に出力するクロック出力信号、７１３は半導体記憶装置６２３と論理回路７０６とがデータをやり取りする為のデータバスである。
【００８２】
半導体装置６２８は、上記論理回路７０６、ＰＬＬ回路７０７、および半導体記憶装置６２３が設けられて構成される。上記論理回路７０６、およびＰＬＬ回路７０７は、例えば、図４に示した大規模論理回路領域６２４などに形成されている。
【００８３】
クロック入力信号４０１は、ＰＬＬ回路７０７から出力されて、半導体記憶装置６２３に入力されるようになっている。
【００８４】
また、リフレッシュ制御信号４０２、および低速動作制御信号４０３は、他の制御信号とともに論理回路７０６から出力されて、半導体記憶装置６２３に入力されるようになっている。
【００８５】
（光ディスク再生装置の動作）
以下、上記のように構成された光ディスク再生装置の動作を説明する。
【００８６】
まず、情報記録媒体７０１が“データ処理量が少ない媒体”である場合の動作について説明する。光ディスク判別回路７０４は、光ピックアップ７０２が情報記録媒体７０１から読み取ったデータ信号７０３から、情報記録媒体７０１が“データ処理量が少ない媒体”である事を判別し、これを示すためにデータ信号７０５を例えば“Ｈ”にする。
【００８７】
上記“Ｈ”にされたデータ信号７０５は、論理回路７０６に入力される。論理回路７０６は、“データ処理量が少ない媒体”に対応して、“低速で信号処理出来るモード”になり、ＰＬＬ回路７０７に周波数を低くすることを指示する制御信号７０９を出力する。これに応じて、ＰＬＬ回路７０７は、論理回路７０６に出力するクロック出力信号７１０と、半導体記憶装置６２３に出力するクロック入力信号４０１とを所定の低い周波数にする。
【００８８】
論理回路７０６は、さらに、半導体記憶装置６２３に入力されるクロック入力信号４０１が低い周波数であることを示すように低速動作制御信号４０３を“Ｈ”にする。論理回路７０６は、また、半導体記憶装置６２３にリフレッシュ動作を指示するリフレッシュ制御信号４０２をクロック入力信号４０１における例えば５周期分の期間Ｔごとに１周期の期間だけ“Ｈ”にして、半導体記憶装置６２３を制御する。そこで、半導体記憶装置６２３におけるクロック発生回路６１９（図５）からは、上記期間Ｔごとに、クロック出力信号４１０として、リフレッシュ制御信号４０２が“Ｈ”になる１周期分の期間に２つのパルスが出力されるとともに、リフレッシュ制御信号４０２が“Ｌ”になる４周期分の期間にはクロック入力信号４０１がそのまま出力される。これにより、２回のリフレッシュ動作と、４回のコマンド処理等とが行われる。
【００８９】
すなわち、見かけ上のリフレッシュ動作に必要なクロックの回数を半分に減らす事が可能となり、その分、データバス７１３による半導体記憶装置６２３と論理回路７０６との間でデータをやり取りする信号処理等にクロックパルスを使用する事が可能になる。それゆえ、データ転送レートを向上させたり、データ転送レートの低下を少なく抑えたり、または消費電力を低減したりすることが容易にできるシステムを実現する事が可能となる。
【００９０】
次に、情報記録媒体７０１が“データ処理量が多い媒体”である場合の動作について説明する。光ディスク判別回路７０４は、光ピックアップ７０２が情報記録媒体７０１から読み取ったデータ信号７０３から、情報記録媒体７０１が“データ処理量が多い媒体”である事を判別し、これを示すためにデータ信号７０５を例えば“Ｌ”にする。
【００９１】
上記“Ｌ”にされたデータ信号７０５は、論理回路７０６に入力される。論理回路７０６は、“データ処理量が多い媒体”に対応して、“高速で信号処理するモード”になり、ＰＬＬ回路７０７に周波数を高くすることを指示する制御信号７０９を出力する。これに応じて、ＰＬＬ回路７０７は、論理回路７０６に出力するクロック出力信号７１０と、半導体記憶装置６２３に出力するクロック入力信号４０１とを所定の高い周波数にする。
【００９２】
この場合、論理回路７０６は、さらに、半導体記憶装置６２３に入力されるクロック入力信号４０１が高い周波数であることを示すように低速動作制御信号４０３を“Ｌ”にする。論理回路７０６は、また、半導体記憶装置６２３にリフレッシュ動作を指示するリフレッシュ制御信号４０２をクロック入力信号４０１における例えば２０周期ごとに合計２周期の期間“Ｈ”にして、半導体記憶装置６２３を制御する。そこで、半導体記憶装置６２３におけるクロック発生回路６１９（図５）では、リフレッシュ制御信号４０２のレベルに係わらず、クロック入力信号４０１が信号選択回路４０７により選択されてクロック出力信号４１０として出力される。これにより、クロック入力信号４０１が直接、またはバッファを介してリフレッシュ回路６１５等に入力される場合などと同様に、クロック入力信号４０１における２０周期分の期間Ｔごとに、２回のリフレッシュ動作と、１８回のコマンド処理等とが行われる。
【００９３】
《発明の実施形態１の変形例》
上記のようにクロック入力信号４０１の周波数に応じてクロック出力信号４１０を切換えるのに限らず、常にリフレッシュ時にはクロックパルスが２つ出力されるようにしてもよい。具体的には、例えば、クロック発生回路６１９を共通の回路やマクロとして用いるなどして、実施形態１と同様の半導体装置や光ディスク再生装置を構成するとともに、図５に併せて符号Ａで示すように、低速動作制御信号４０３が“Ｈ”に固定されるようにしてもよい。このような構成は、クロック入力信号４０１の周波数に係わらずクロック効率を向上させる場合などに適用できる。
【００９４】
一方、図５に符号Ｂで示すように、リフレッシュ制御信号４０２が“Ｌ”に固定されるようにしてもよい。この場合には、常にクロック入力信号４０１が信号選択回路４０７を介してクロック出力信号４１０として出力される。それゆえ、例えば、実施形態１と共通の回路を用いて、クロック発生回路６１９をバッファ等として機能させることなどができる。
【００９５】
《発明の実施形態２》
（半導体装置６２８等の構成）
実施形態２の半導体記憶装置は、実施形態１の半導体記憶装置６２３（図４、図５）と比べて、図９、図１０に示すように、クロック発生回路６１９に代えてクロック発生回路８１９，８１９’が用いられた２つの半導体記憶装置６２３，６２３’を備えている。その他の点は実施形態１と同様であり、図８に示したような光ディスク再生装置等に適用できる点も同様である。
【００９６】
上記クロック発生回路８１９，８１９’は、実施形態１のクロック発生回路６１９と比べて、さらに、反転論理和回路（ＮＯＲ）８０６と、低速動作分散信号８１１により切換え制御される信号選択回路８０８とを備える点が異なる。他の構成要素は、実質的に実施形態１と同じである。具体的には、図１０において、８０１はクロック入力信号、８０２はリフレッシュ動作を指示するリフレッシュ制御信号、８０３，８０３’は低速動作制御信号、８０４は反転回路（ＮＯＴ回路）、８０５は反転排他的論理和回路（ＥＸＮＯＲ回路）、８０６は反転論理和回路（ＮＯＲ回路）、８０７は論理積回路（ＡＮＤ回路）、８０８、８０９はそれぞれ信号選択回路、８１０は信号選択回路８０９の切換え信号、８１１は信号選択回路８０８の切換え信号となる低速動作分散信号、８１２は内部クロック信号ａ、８１３は内部クロック信号ｂ、８１４は信号選択回路８０８の出力信号、８１５，８１５’はクロック出力信号である。
【００９７】
図１１、図１２は、上記クロック発生回路８１９，８１９’の入出力信号、および内部の信号の波形図である。すなわち、クロック発生回路８１９，８１９’は、同図に示すようなクロック入力信号８０１、リフレッシュ制御信号８０２、低速動作制御信号８０３，８０３’、および低速動作分散信号８１１が入力されて、クロック出力信号８１５，８１５’を出力するようになっている。
【００９８】
ここで、リフレッシュタイミングの条件は、実施形態１と同じく、期間Ｔあたり２回のリフレッシュ動作が必要であるとする。
【００９９】
クロック発生回路８１９，８１９’には、クロック入力信号８０１として、実施形態１と同様に、情報記録媒体の種類の判別等に応じた所定の高い周波数、またはその１／４の低い周波数の信号が選択的に入力されるようになっている。クロック発生回路８１９に入力される低速動作制御信号８０３は、上記クロック入力信号４０１が高い周波数の場合に“Ｌ”、低い周波数の場合に“Ｈ”に維持されるようになっている。一方、クロック発生回路８１９’に入力される低速動作制御信号８０３’は、例えば図１０に符号Ｃで示すように、常に“Ｌ”に固定されている。また、上記低速動作分散信号８１１は、クロック発生回路８１９，８１９’共に、常に“Ｈ”に固定されている。さらに、リフレッシュ制御信号８０２は、クロック入力信号８０１が高い周波数の場合には、実施形態１と同様、期間Ｔに２回“Ｈ”になるとともに、クロック入力信号８０１が低い周波数の場合には、その低い周波数での２周期分の期間、“Ｈ”にされるようになっている。
【０１００】
（半導体装置６２８等の動作）
＜高クロック周波数の場合における、リフレッシュ期間および他の期間＞
クロック入力信号８０１の周波数が高い場合には（図１１）、リフレッシュ期間であるかどうかに係わらず、クロック発生回路８１９，８１９’共に、クロック入力信号８０１がそのままクロック出力信号８１５，８１５’として出力される。
【０１０１】
すなわち、クロック発生回路８１９’では、常に低速動作制御信号８０３’が“Ｌ”に固定されているので、クロック入力信号８０１が信号選択回路８０９により選択されて出力される。
【０１０２】
また、クロック発生回路８１９では、クロック入力信号８０１の周波数が高い場合には、低速動作制御信号８０３が“Ｌ”に維持されることによって、やはりクロック入力信号８０１が選択されて出力される。
【０１０３】
それゆえ、実施形態１と同様に、リフレッシュ制御信号８０２が期間Ｔ内に２回“Ｈ”になることによって、クロック出力信号８１５，８１５’が立ち上がるタイミングで適切なリフレッシュ動作が行われるとともに、リフレッシュ制御信号８０２が“Ｌ”の期間に１８回のコマンド処理等が行われる。
【０１０４】
＜低クロック周波数の場合における、リフレッシュ以外の期間＞
クロック入力信号８０１の周波数が低い場合でも（図１２）、リフレッシュ期間以外は、やはり、クロック発生回路８１９，８１９’共に、クロック入力信号８０１がそのままクロック出力信号８１５，８１５’として出力される。
【０１０５】
すなわち、クロック発生回路８１９’では、常に低速動作制御信号８０３’が“Ｌ”に固定されていることにより、信号選択回路８０８によってクロック入力信号８０１が選択されて出力される。
【０１０６】
また、クロック発生回路８１９では、リフレッシュ制御信号８０２が“Ｌ”であることにより、同様にクロック入力信号８０１が選択されて出力される。そこで、期間Ｔあたり３回のコマンド処理等が行われる。
【０１０７】
＜低クロック周波数の場合における、リフレッシュ期間＞
クロック入力信号８０１の周波数が低い場合（図１２）のリフレッシュ期間では、クロック発生回路８１９’では、やはり、常に低速動作制御信号８０３’が“Ｌ”に固定されていることによって、クロック入力信号８０１がそのままクロック出力信号８１５’として出力される。
【０１０８】
一方、クロック発生回路８１９では、低速動作分散信号８１１は“Ｈ”に固定されているとともに、低速動作制御信号８０３およびリフレッシュ制御信号８０２が“Ｈ”になって切換え信号８１０が“Ｈ”になるので、信号選択回路８０８、および信号選択回路８０９によって、それぞれ内部クロック信号ｂ８１３、および出力信号８１４が選択される。上記内部クロック信号ｂ８１３は、クロック入力信号８０１と、その反転信号との反転論理和回路なので、クロック入力信号８０１が立ち下がるタイミングで、反転回路８０４の遅延時間だけ“Ｈ”になるパルスが生成され、クロック出力信号８１５として出力される。
【０１０９】
この場合、半導体記憶装置６２３’では、クロック入力信号８０１の立ち上がりタイミングでリフレッシュが行われ、半導体記憶装置６２３では、クロック入力信号８０１の立ち下がりタイミングでリフレッシュが行われる。すなわち、クロック入力信号８０１の周波数が低い場合には互いにずれたタイミングでリフレッシュが行われるので、リフレッシュ電流が消費されるタイミングを分散させて、消費電力の集中を緩和し、半導体装置の平均消費電流を低減する事が可能となる。
【０１１０】
《発明の実施形態２の変形例》
上記の例では、一方の半導体記憶装置６２３については、クロック入力信号８０１の周波数が低いときにだけ、低速動作制御信号８０３が“Ｈ”にされる例を示したが、これに限らず、例えば図１０に併せて符号Ｄで示すように、常に低速動作制御信号８０３が“Ｈ”に固定されるようにして、リフレッシュ動作がクロック入力信号８０１の周波数に係わらず、半導体記憶装置６２３，６２３’で常に互いにずれて行われるようにしてもよい。
【０１１１】
また、低速動作制御信号８０３が“Ｌ”に固定された半導体記憶装置６２３を単独で、または複数設けるようにしてもい。すなわち、この場合には、前記実施形態１の変形例で説明したのと同じように、実施形態２と共通の回路を用いて、クロック発生回路６１９をバッファ等として機能させることなどができる。
【０１１２】
また、低速動作分散信号８１１が“Ｈ”に固定されるのに限らず、図１０に併せて符号Ｅで示すように、“Ｌ”に固定されるようにしてもよい。この場合には、信号選択回路８０８は常に内部クロック信号ａ８１２を選択するので、リフレッシュ制御信号８０２、および低速動作制御信号８０３に応じて、実施形態１やその変形例におけるクロック発生回路６１９と同じ動作をさせて、クロック効率を向上させることなどができる。よって、やはり回路の共通化を図ることなどが容易にできる。
【０１１３】
さらに、低速動作分散信号８１１が“Ｈ”または“Ｌ”に固定されるのに限らず、例えば、要求されるコマンド処理能力や、消費電流に応じて、論理回路７０６等により動的に制御されて、実施形態１と同様に１クロック周期で２回リフレッシュが行われるようにしたり、複数の半導体記憶装置６２３でリフレッシュタイミングが互いにずれるようにしたりしてもよい。すなわち、これにより、例えば、見かけ上のリフレッシュ動作に必要なクロック数を半分に減らす事や、リフレッシュ電流が消費されるタイミングを分散する事などが可能となる。よって、半導体装置において、データ転送レートの低下を改善しながら、半導体装置を使用する光ディスク再生装置に対して消費電力の低減や分散も出来る構成を実現する事などが可能となる。
【０１１４】
《その他の事項》
上記のように、単独、または複数の半導体装置に半導体記憶装置を設け、個々の半導体記憶装置に対して、低速動作分散信号８１１や、低速動作制御信号８０３，４０３の“Ｈ”“Ｌ”の状態を固定的または動的に種々に制御して、様々に低速動作制御や低速分散制御を組み合わせる事により、光ディスク再生装置等として最適な低消費電力などを実現する事も可能である。
【０１１５】
なお、上記実施形態では、ＤＲＡＭが用いられる例を説明したが、ＤＲＡＭに限らず、リフレッシュ動作が必要な全てのメモリセルを用いる事もまた、極めて容易である。
【０１１６】
また、上記実施形態では、光ディスク再生装置の例を説明したが、光ディスク再生装置に限らず、動作仕様によりメモリとのデータ転送レートが異なるシステムに搭載する半導体装置等に適用する事もまた、極めて容易である。
【０１１７】
上記のような実施形態によれば、製品サイクルが短いＡＶ機器を中心として民生用途から車載用途までをカバーし、分野別では、主なものでも光ディスク、デジタルＴＶ、デジタルカメラ、デジタルオーディオなど幅広いジャンルに及んでいる半導体装置を効率的に開発する事が可能であり、結果として収益を向上させる効果が得られる。
【産業上の利用可能性】
【０１１８】
本発明の半導体記憶装置は、例えば、半導体装置の低消費電力化、データ転送レートの向上等に有用である。
【符号の説明】
【０１１９】
４０１      クロック入力信号
４０２      リフレッシュ制御信号
４０３      低速動作制御信号
４０４      反転回路
４０５      反転排他的論理和回路
４０６      論理積回路
４０７      信号選択回路
４０８      切換え信号
４０９      内部クロック信号
４１０      クロック出力信号
６０１      メモリセル領域
６０２      行デコーダ回路
６０３      列デコーダ回路
６０４      センスリードライトアンプ回路
６０５      内部データ入出力線
６０６      外部データ入出力線
６０７      データ入出力回路
６０８      行アドレス
６０９      列アドレス
６１０      アドレス制御信号
６１１      アドレス入力回路
６１２      外部制御信号
６１３      制御回路
６１４      内部アドレス制御信号
６１５      リフレッシュ回路
６１６      タイミング調整信号
６１７      タイミング発生回路
６１９      クロック発生回路
６２１      メモリアレイ領域
６２２      制御領域
６２３      半導体記憶装置
６２３’    半導体記憶装置
６２４      大規模論理回路領域
６２５      冗長救済アドレス記憶回路
６２６      冗長救済アドレス線
６２７      外部端子群
６２８      半導体装置
７０１      情報記録媒体
７０２      光ピックアップ
７０３      データ信号
７０４      光ディスク判別回路
７０５      データ信号
７０６      論理回路
７０７      ＰＬＬ回路
７０９      制御信号
７１０      クロック出力信号
７１３      データバス
８０１      クロック入力信号
８０２      リフレッシュ制御信号
８０３      低速動作制御信号
８０３’    低速動作制御信号
８０４      反転回路
８０５      反転排他的論理和回路
８０６      反転論理和回路
８０８      信号選択回路
８０９      信号選択回路
８１０      切換え信号
８１１      低速動作分散信号
８１２      内部クロック信号ａ
８１３      内部クロック信号ｂ
８１４      出力信号
８１５      クロック出力信号
８１５’    クロック出力信号
８１９      クロック発生回路
８１９’    クロック発生回路
【手続補正２】
【補正対象書類名】特許請求の範囲
【補正対象項目名】全文
【補正方法】変更
【補正の内容】
【特許請求の範囲】
【請求項１】
メモリセルを備え、上記メモリセルのリフレッシュ機能を有する半導体記憶装置であって、
第１のクロックを入力として、前記第１のクロックの逆相から第２のクロックを生成して出力するクロック発生回路を備え、
前記第１のクロックと前記第２のクロックの少なくとも１つのクロックに同期して、前記リフレッシュ機能の動作を行うことを特徴とする半導体記憶装置。
【請求項２】
請求項１の半導体記憶装置であって、さらに、
リフレッシュ動作を前記第１のクロックのみに同期して行うか、前記第２のクロックのみに同期して行うかの選択を制御信号により切換える選択回路を備えたことを特徴とする半導体記憶装置。
【請求項３】
請求項２の半導体記憶装置と、
論理回路と、
外部との間で信号を入出力する入出力回路、および前記入出力回路に接続される電極パッドを有するＩＯブロックとを備え、
ＩＯブロックを介して入力された外部信号が前記論理回路に入力されて、前記選択回路の切換えを制御する前記制御信号が生成されることを特徴とする半導体装置。
【請求項４】
請求項３の半導体装置であって、さらに、
前記ＩＯブロックを介して入力された外部信号によって制御される周波数のクロックを発生し、前記半導体記憶装置、および前記論理回路に入力するＰＬＬ回路を備えたことを特徴とする半導体装置。
【請求項５】
請求項３および請求項４のうち何れか１項の半導体装置であって、
前記第１のクロックのみに同期してリフレッシュ動作を行う前記半導体記憶装置と、
前記第２のクロックのみに同期してリフレッシュ動作を行う前記半導体記憶装置を任意の組み合わせで備えたことを特徴とする半導体装置。
【請求項６】
メモリセルのリフレッシュ機能および、第１のクロックを入力として、前記第１のクロックの逆相から第２のクロックを生成して出力するクロック発生器およびリフレッシュ動作を前記第１のクロックのみに同期して行うか、前記第２のクロックのみに同期して行うかの選択を制御信号により切換える選択回路を備えた半導体記憶回路と、論理回路と、信号を入出力する入出力回路および前記入出力回路に接続される電極パッドを有するＩＯブロックと、発生するクロックの周波数が制御信号により変更可能なＰＬＬ回路とを備えた半導体装置と、
光ピックアップと、
前記光ピックアップが読み取ったデータ信号に基づいて複数の種類の情報記録媒体を判別出来る信号を出力する回路とを備えた光ディスク再生装置であって、
前記複数の種類の情報記録媒体を判別出来る信号を前記半導体装置のＩＯブロックへ外部信号として入力し、
前記外部信号が前記論理回路に入力されて、前記半導体記憶装置の選択回路へ入力される前記制御信号を生成して、前記半導体記憶装置のリフレッシュ動作を制御することを特徴とする光ディスク再生装置。
【請求項７】
メモリセルのリフレッシュ機能を備えた半導体記憶回路において、第１のクロックを入力として、前記第１のクロックの逆相から第２のクロックを生成して出力するクロック発生器およびリフレッシュ動作を前記第１のクロックのみに同期して行うか、前記第２のクロックのみに同期して行うかの選択を制御信号により切換える選択回路を備えた半導体記憶回路と、論理回路と、信号を入出力する入出力回路および前記入出力回路に接続される電極パッドを有するＩＯブロックと、発生するクロックの周波数が制御信号により変更可能なＰＬＬ回路とを備えた半導体装置と、
光ピックアップと、
前記光ピックアップが読み取ったデータ信号に基づいて複数の種類の情報記録媒体を判別出来る信号を出力する回路とを備えた光ディスク再生装置であって、
前記複数の種類の情報記録媒体を判別出来る信号を前記半導体装置のＩＯブロックへ外部信号として入力し、
前記外部信号により前記半導体記憶装置および前記論理回路へ入力されるクロックの周波数を変更することを特徴とする光ディスク再生装置。
【請求項８】
請求項１の半導体記憶装置であって、
前記クロック発生回路は、１クロック周期あたり２つのパルスを含む前記第２のクロックを生成することを特徴とする半導体記憶装置。
【請求項９】
請求項８の半導体記憶装置であって、
前記クロック発生回路は、
前記第１のクロックを反転させて逆相信号を出力するＮＯＴ回路と、
前記第１のクロックと逆相信号とに基いて、前記第２のクロックを生成するＥＸＮＯＲ回路と、
を有することを特徴とする半導体記憶装置。
【請求項１０】
請求項８の半導体記憶装置であって、
前記クロック発生回路は、
前記第１、および第２のクロックの一方を選択するセレクタを備えたことを特徴とする半導体記憶装置。
【請求項１１】
請求項１０の半導体記憶装置であって、
前記セレクタは、当該半導体記憶装置の外部から入力される制御信号に応じて上記選択をすることを特徴とする半導体記憶装置。
【請求項１２】
請求項１０の半導体記憶装置であって、
前記セレクタは、リフレッシュ時に、第１、および第２のクロックの一方を固定的に選択するように構成されていることを特徴とする半導体記憶装置。
【請求項１３】
請求項８の半導体記憶装置であって、
前記クロック発生回路は、セレクタを備えるとともに、
前記クロック発生回路は、さらに、第１のクロックの遷移タイミングに対して、ずれたタイミングで遷移して前記リフレッシュを行わせる第３のクロックを生成するように構成され、
前記セレクタは、前記第１、第２、および第３のクロックのうちの何れかを選択することを特徴とする半導体記憶装置。
【請求項１４】
請求項１３の半導体記憶装置であって、
前記クロック発生回路は、
前記第１のクロックを反転させて逆相信号を出力するＮＯＴ回路と、
前記第１のクロックと逆相信号とに基いて、前記第３のクロックを生成するＮＯＲ回路と、
を有することを特徴とする半導体記憶装置。
【請求項１５】
請求項１３の半導体記憶装置であって、
前記セレクタは、前記第１、および第２のクロックのうちの一方を選択することを特徴とする半導体記憶装置。
【請求項１６】
請求項１３の半導体記憶装置であって、
前記メモリセルとクロック発生回路との第１の組と、第２の組とを有し、
前記第１の組のセレクタは、前記第１のクロックを固定的に選択する一方、
前記第２の組のセレクタは、リフレッシュ時に、前記第１、および第３のクロックのうちの一方を選択することを特徴とする半導体記憶装置。
【請求項１７】
請求項１６の半導体記憶装置であって、
前記第２の組のセレクタは、リフレッシュ時に、第３のクロックを固定的に選択するように構成されていることを特徴とする半導体記憶装置。
【請求項１８】
請求項１０の半導体記憶装置を備えた半導体装置であって、
前記セレクタは前記第１のクロックが第１の周波数の場合に、前記第１のクロックを選択する一方、前記第１の周波数よりも低い第２の周波数の場合に、前記第２のクロックを選択することを特徴とする半導体装置。
【請求項１９】
請求項１８の半導体装置を備えた光ディスク再生装置であって、
さらに、
記録媒体に記録された情報を読み出す光ピックアップと、
記録媒体から読み出された情報の処理のために前記半導体装置における半導体記憶装置に供給されるべきクロックの周波数を判別し、判別信号を出力する判別回路と、
を備え、
前記セレクタは、前記判別信号に応じて、前記第１または第２のクロックを選択することを特徴とする光ディスク再生装置。
【請求項２０】
請求項１９の光ディスク再生装置であって、
さらに、前記判別信号に応じた周波数の第１のクロックを生成するＰＬＬ回路を備えたことを特徴とする光ディスク再生装置。
【手続補正３】
【補正対象書類名】図面
【補正対象項目名】全図
【補正方法】変更
【補正の内容】
【図１】
2009150844.tif 000015
【図２】
2009150844.tif 000016
【図３】
2009150844.tif 000017
【図４】
2009150844.tif 000018
【図５】
2009150844.tif 000019
【図６】
2009150844.tif 000020
【図７】
2009150844.tif 000021
【図８】
2009150844.tif 000022
【図９】
2009150844.tif 000023
【図１０】
2009150844.tif 000024
【図１１】
2009150844.tif 000025
【図１２】
2009150844.tif 000026
【国際調査報告】
2009150844.tif 000027
2009150844.tif 000028